(57)【特許請求の範囲】
【請求項１】
高速パケットアクセスシステムにおいてマルチユーザ多入力多出力を提供するための方法であって、
チャネル品質インジケータを、第１のデータレートでの単一ストリーム伝送を要求するデュアルストリーム対応無線通信デバイスから受信することと、
第２のデータレートを取得するために前記第１のデータレートを適応外側ループマージンぶん調整することと、
前記第２のデータレートを使用してデータストリームを前記無線通信デバイスに送信することと、
肯定応答／否定応答（ＡＣＫ／ＮＡＣＫ）を、前記無線通信デバイスから受信することと、
前記受信されたＡＣＫ／ＮＡＣＫに従って前記適応外側ループマージンを調整することと、
を備え、前記適応外側ループマージンは、単一ユーザ多入力多出力伝送のための第１の適応外側ループマージンと、マルチユーザ多入力多出力伝送のための第２の適応外側ループマージンとを備える、方法。
【請求項２】
前記方法はノードＢによって行われる、請求項１に記載の方法。
【請求項３】
伝送に対して単一ユーザ多入力多出力の使用を決定することをさらに備え、前記データストリームは単一ユーザ多入力多出力を使用して送信される、請求項１に記載の方法。
【請求項４】
伝送に対してマルチユーザ多入力多出力の使用を決定することをさらに備え、前記データストリームはマルチユーザ多入力多出力を使用して送信される、請求項１に記載の方法。
【請求項５】
前記ＡＣＫ／ＮＡＣＫは肯定応答（ＡＣＫ）を備え、前記適応外側ループマージンを調整することは、前記適応外側ループマージンをインクリメント的に減らすことを備える、請求項１に記載の方法。
【請求項６】
前記ＡＣＫ／ＮＡＣＫは否定応答（ＮＡＣＫ）を備え、前記適応外側ループマージンを調整することは、前記適応外側ループマージンをインクリメント的に増やすことを備える、請求項１に記載の方法。
【請求項７】
コンピュータプログラムであって、前記プログラムがコンピュータ上で実行された場合に、請求項１乃至６のいずれか一項に記載のステップを行うことに適応したコンピュータプログラムコード手段を備えるコンピュータプログラム。
【請求項８】
請求項１乃至６のいずれかの方法を行うために、１または複数のプロセッサによって実行可能な命令のセットを組み込むコンピュータ読み取り可能記録媒体。
【請求項９】
高速パケットアクセスシステムにおいてマルチユーザ多入力多出力を提供するように構成された基地局であって、
チャネル品質インジケータを、第１のデータレートでの単一ストリーム伝送を要求するデュアルストリーム対応無線通信デバイスから受信するための手段と、
第２のデータレートを取得するために、前記第１のデータレートを適応外側ループマージンぶん調整するための手段と、
前記第２のデータレートを使用してデータストリームを前記無線通信デバイスに送信するための手段と、
肯定応答／否定応答（ＡＣＫ／ＮＡＣＫ）を、前記無線通信デバイスから受信するための手段と、
前記受信されたＡＣＫ／ＮＡＣＫに従って前記適応外側ループマージンを調整するための手段と
を備え、前記適応外側ループマージンは、単一ユーザ多入力多出力伝送のための第１の適応外側ループマージンと、マルチユーザ多入力多出力伝送のための第２の適応外側ループマージンとを備える、基地局。
【請求項１０】
伝送に対して単一ユーザ多入力多出力の使用を決定するための手段をさらに備え、前記データストリームは単一ユーザ多入力多出力を使用して送信される、請求項９に記載の基地局。
【請求項１１】
伝送に対してマルチユーザ多入力多出力の使用を決定することをさらに備え、前記データストリームはマルチユーザ多入力多出力を使用して送信される、請求項９に記載の基地局。
【請求項１２】
前記ＡＣＫ／ＮＡＣＫは肯定応答（ＡＣＫ）を備え、前記適応外側ループマージンを調整するための手段は、前記適応外側ループマージンをインクリメント的に減らすための手段を備える、請求項９乃至１１のいずれか一項に記載の基地局。
【請求項１３】
前記ＡＣＫ／ＮＡＣＫは否定応答（ＮＡＣＫ）を備え、前記適応外側ループマージンを調整するための手段は、前記適応外側ループマージンをインクリメント的に増やすための手段を備える、請求項９乃至１１のいずれか一項に記載の基地局。
【発明の詳細な説明】
【関連出願】
【０００１】
本出願は、２００９年１１月１７日に出願された「CQI DESIGN FOR MULTI-USER MIMO IN HSPA」と題する米国仮出願６１／２６２１１１号に関し、且つ、その優先権を主張する。
【技術分野】
【０００２】
本開示は、一般的に、無線通信システムに関する。より詳細には、本開示は、高速パケットアクセス（ＨＳＰＡ）システムにおけるマルチユーザ多入力多出力（ＭＩＭＯ）のためのチャネル品質インジケータ（ＣＱＩ）設計についてのシステムおよび方法に関する。
【背景技術】
【０００３】
無線通信システムは、音声、ビデオ、データなどの様々なタイプの通信コンテンツを提供するために広く展開されている。これらのシステムは、複数の端末と１または複数の基地局との同時通信をサポートすることができる多元接続システムでありうる。
【０００４】
全ての通信システムにおいて対処されなければならない問題は、フェーディングあるいは別の干渉である。受信された信号の復号に問題が存在する可能性がある。これらの問題に対処するための１つの方法は、ビームフォーミングを利用することである。ビームフォーミングの場合、空間ストリームを送信するために各送信アンテナを使用する代わりに、各送信アンテナは、受信機での応答を最適化するように選ばれた、空間ストリームの線形結合を送信する。
【０００５】
スマートアンテナは、各々が、既定の位相オフセットおよび相対利得で送信されるべき信号を受信するアンテナエレメントのアレイである。アレイの正味の効果は、既定の方向に（送信または受信）ビームを向けることである。ビームは、アレイのエレメントを励起する信号の位相と利得との関係を制御することによってステアリングされる。このように、スマートアンテナは、従来のアンテナが典型的に行うような、既定のカバレッジエリア（例えば、１２０度）内の全てのモバイルユニットにエネルギーを放射することとは対照的に、それぞれの個々のモバイルユニット（または、複数のモバイルユニット）にビームを向ける。スマートアンテナは、各モバイルユニットに向けられるビームの幅を減らしてモバイルユニット間の干渉を減らすことで、システム容量を増加させる。このような干渉の削減により、信号対干渉および信号対雑音比が増加し、それは、性能および／または容量を改善する。電力制御システムにおいて、狭いビーム信号を各モバイルユニットに向けることは、さらに、所与のレベルの性能を提供するために要求される伝送電力を減らす。
【０００６】
無線通信システムは、ビームフォーミングを使用して、システム全体の利得を提供しうる。ビームフォーミングにおいて、送信機上の複数のアンテナは、伝送の方向を受信機上の複数のアンテナに向けてステアリングしうる。ビームフォーミングは、信号対雑音比（ＳＮＲ）を減らしうる。ビームフォーミングは、さらに、隣接セルの端末によって受信される干渉の量を減らしうる。改善されたビームフォーミング技術を提供することによって、利益が実現される。
【発明の概要】
【０００７】
高速パケットアクセスシステムにおいてマルチユーザ多入力多出力を提供するための方法が記述される。チャネル品質インジケータは、第１のデータレートでの単一ストリーム伝送を要求するデュアルストリーム対応無線通信デバイスから受信される。第１のデータレートは、適応外側ループマージンぶん調整され、第２のデータレートが取得される。データストリームは、第２のデータレートを使用して無線通信デバイスに送信される。肯定応答／否定応答（ＡＣＫ／ＮＡＣＫ）は、無線通信デバイスから受信される。適応外側ループマージンは、受信されたＡＣＫ／ＮＡＣＫに従って調整される。
【０００８】
方法は、ノードＢによって行われうる。伝送に対して単一ユーザ多入力多出力を使用することが決定されうる。データストリームは、単一ユーザ多入力多出力を使用して送信されうる。伝送に対してマルチユーザ多入力多出力を使用することが決定されうる。次に、データストリームは、マルチユーザ多入力多出力を使用して送信されうる。
【０００９】
ＡＣＫ／ＮＡＣＫは、肯定応答（ＡＣＫ）を含みうる。適応外側ループマージンを調整することは、適応外側ループマージンをインクリメント的に減らすことを含みうる。ＡＣＫ／ＮＡＣＫは、否定応答（ＮＡＣＫ）を含みうる。適応外側ループマージンを調整することは、適応外側ループマージンをインクリメント的に増やすことを含みうる。適応外側ループマージンは、単一ユーザ多入力多出力伝送のための第１の適応外側ループマージンと、マルチユーザ多入力多出力伝送のための第２の適応外側ループマージンを含みうる。
【００１０】
高速パケットアクセスシステムにおいてマルチユーザ多入力多出力を提供するように構成された無線デバイスがさらに記述される。無線デバイスは、プロセッサと、このプロセッサと電子通信状態にあるメモリと、このメモリに記録された命令を含む。命令は、第１のデータレートでの単一ストリーム伝送を要求するデュアルストリーム対応無線通信デバイスからチャネル品質インジケータを受信するために、プロセッサよって実行可能である。命令は、さらに、第１のデータレートを適応外側ループマージンぶん調整して第２のデータレートを取得するために、プロセッサによって実行可能である。命令は、さらに、第２のデータレートを使用して、データストリームを無線通信デバイスに送信するために、プロセッサによって実行可能である。命令は、さらに、肯定応答／否定応答（ＡＣＫ／ＮＡＣＫ）を無線通信デバイスから受信するために、プロセッサによって実行可能である。命令は、受信されたＡＣＫ／ＮＡＣＫに従って適応外側ループマージンを調整するために、プロセッサによってさらに実行可能である。
【００１１】
高速パケットアクセスシステムにおいてマルチユーザ多入力多出力を提供している基地局にチャネル品質インジケータを提供するための方法が記述される。第１のチャネル品質インジケータが決定される。第１のチャネル品質インジケータは、ストリーム間干渉を加味して調整された最適な単一ストリーム多入力多出力チャネル品質インジケータである。第１のチャネル品質インジケータは基地局に送られる。第２のチャネル品質インジケータが決定される。第２のチャネル品質インジケータは、リリース７に従って生成される最適な多入力多出力チャネル品質インジケータである。第２のチャネル品質インジケータは、基地局に送られる。
【００１２】
方法は、無線通信デバイスによって行われうる。第２のチャネル品質インジケータは、単一ストリームチャネル品質インジケータまたはマルチストリームチャネル品質インジケータでありうる。第１のチャネル品質インジケータは、第２のチャネル品質インジケータとインターレースしうる。フィードバック周期は１でありうる。第１のチャネル品質インジケータは、第１の伝送時間インターバルに対応し、第２のチャネル品質インジケータは、第２の伝送時間インターバルに対応しうる。基地局は、マルチユーザ多入力多出力伝送をスケジューリングする際に、第１のチャネル品質インジケータまたは第２のチャネル品質インジケータを使用しうる。
【００１３】
高速パケットアクセスシステムにおいてマルチユーザ多入力多出力を提供している基地局にチャネル品質インジケータを提供するように構成された無線デバイスがさらに記述される。無線デバイスは、プロセッサと、プロセッサと電子通信状態にあるメモリと、メモリに記憶された命令とを含む。命令は、ストリーム間干渉を加味して調整された最適な単一ストリーム多入力多出力チャネル品質インジケータである第１のチャネル品質インジケータを決定するために、プロセッサによって実行可能である。命令は、さらに、第１のチャネル品質インジケータを基地局に送るために、プロセッサによって実行可能である。命令は、さらに、リリース７に従って生成された最適な多入力多出力チャネル品質インジケータである第２のチャネル品質インジケータを決定するために、プロセッサによって実行可能である。命令は、さらに、第２のチャネル品質インジケータを基地局に送るために、プロセッサによって実行可能である。
【００１４】
高速パケットアクセスシステムにおいてマルチユーザ多入力多出力を提供するように構成された無線デバイスが記述される。無線デバイスは、第１のデータレートでの単一ストリーム伝送を要求するデュアルストリーム対応無線通信デバイスからチャネル品質インジケータを受信するための手段を含む。無線デバイスは、さらに、第１のデータレートを適応外側ループマージンぶん調整して、第２のデータレートを取得するための手段を含む。無線デバイスは、さらに、第２のデータレートを使用して、データストリームを無線通信デバイスに送信するための手段を含む。無線デバイスは、さらに、肯定応答／否定応答（ＡＣＫ／ＮＡＣＫ）を無線通信デバイスから受信するための手段を含む。無線デバイスは、さらに、受信されたＡＣＫ／ＮＡＣＫに従って適応外側ループマージンを調整するための手段を含む。
【００１５】
高速パケットアクセスシステムにおいてマルチユーザ多入力多出力を提供している基地局にチャネル品質インジケータを提供するように構成された無線デバイスがさらに記述される。無線デバイスは、ストリーム間干渉を加味して調整された最適な単一ストリーム多入力多出力チャネル品質インジケータである第１のチャネル品質インジケータを決定するための手段を含む。無線デバイスは、さらに、第１のチャネル品質インジケータを基地局に送るための手段を含む。無線デバイスは、さらに、リリース７に従って生成された最適な多入力多出力チャネル品質インジケータである第２のチャネル品質インジケータを決定するための手段を含む。無線デバイスは、さらに、第２のチャネル品質インジケータを基地局に送るための手段を含む。
【００１６】
高速パケットアクセスシステムにおいてマルチユーザ多入力多出力を提供するためのコンピュータプログラムプロダクトが記述される。コンピュータプログラムプロダクトは、命令を有する非一時的なコンピュータ可読媒体を含む。命令は、基地局に対して、第１のデータレートでの単一ストリーム伝送を要求するデュアルストリーム対応無線通信デバイスからチャネル品質インジケータを受信させるためのコードを含む。命令は、さらに、基地局に対して、第１のデータレートを適応外側ループマージンぶん調整して、第２のデータレートを取得させるためのコードを含む。命令は、さらに、基地局に対して、第２のデータレートを使用して、データストリームを無線通信デバイスに送信させるためのコードを含む。命令は、さらに、基地局に対して、肯定応答／否定応答（ＡＣＫ／ＮＡＣＫ）を無線通信デバイスから受信させるためのコードを含む。命令は、さらに、基地局に対して、受信されたＡＣＫ／ＮＡＣＫに従って適応外側ループマージンを調整させるためのコードを含む。
【００１７】
高速パケットアクセスシステムにおいてマルチユーザ多入力多出力を提供している基地局にチャネル品質インジケータを提供するためのコンピュータプログラムプロダクトがさらに記述される。コンピュータプログラムプロダクトは、命令を有する非一時的なコンピュータ可読媒体を含む。命令は、無線通信デバイスに対して、ストリーム間干渉を加味して調整された最適な単一ストリーム多入力多出力チャネル品質インジケータである第１のチャネル品質インジケータを決定させるためのコードを含む。命令は、さらに、無線通信デバイスに対して、第１のチャネル品質インジケータを基地局に送らせるためのコードを含む。命令は、さらに、無線通信デバイスに対して、リリース７に従って生成された最適な多入力多出力チャネル品質インジケータである第２のチャネル品質インジケータを決定させるためのコードを含む。命令は、さらに、無線通信デバイスに対して、第２のチャネル品質インジケータを基地局に送らせるためのコードを含む。
【図面の簡単な説明】
【００１８】
【図１】図１は、複数の無線デバイスを有する無線通信システムを示す。
【図２】図２は、複数の無線デバイスを有する別の無線通信システムを示す。
【図３】図３は、単一ユーザ多入力多出力（ＳＵ−ＭＩＭＯ）伝送と、マルチユーザ多入力多出力（ＭＵ−ＭＩＭＯ）伝送の両方におけるストリーム間干渉（ＩＳＩ）を考慮するようにデータレートを調整するための方法のフロー図である。
【図４】図４は、ユーザ機器（ＵＥ）をペアリングするための比較表を示すブロック図である。
【図５】図５は、複数の伝送時間インターバル（ＴＴＩ）を有するタイムラインを示すブロック図である。
【図６】図６は、ストリーム間干渉（ＩＳＩ）を考慮するチャネル品質インジケータ（ＣＱＩ）フィードバックを送るための方法のフロー図である。
【図７】図７は、ユーザ機器（ＵＥ）についてのチャネル品質インジケータ（ＣＱＩ）フィードバック周期を示すタイミング図である。
【図８】図８は、本システムおよび方法で使用するための基地局のブロック図である。
【図９】図９は、本システムおよび方法で使用するための無線通信デバイスのブロック図である。
【図１０】図１０は、多入力多出力（ＭＩＭＯ）システムにおける送信機および受信機のブロック図である。
【図１１】図１１は、基地局に含まれうる特定のコンポーネントを示す。
【図１２】図１２は、無線通信デバイスに含まれうる特定のコンポーネントを示す。
【発明を実施するための形態】
【００１９】
第３世代パートナーシッププロジェクト（３ＧＰＰ）は、世界的に適用可能な第３世代（３Ｇ）モバイル電話の仕様を定義することを目的とした電気通信組合のグループ間のコラボレーションである。３ＧＰＰロングタームエボリューション（ＬＴＥ）は、ＵＭＴＳ（Universal Mobile Telecommunications System）モバイル電話標準を改善することを目的とした３ＧＰＰプロジェクトである。３ＧＰＰは、次世代のモバイルネットワーク、モバイルシステム、モバイルデバイスについての仕様を定義しうる。３ＧＰＰ ＬＴＥにおいて、モバイル局またはデバイスは、「ユーザ機器（user equipment）」（ＵＥ）と呼ばれうる。
【００２０】
図１は、複数の無線デバイスを有する無線通信システム１００を示す。無線通信システム１００は、音声、データなど、様々なタイプの通信コンテンツを提供するために広く展開される。無線デバイスは、基地局１０２または無線通信デバイス１０４でありうる。
【００２１】
基地局１０２は、１または複数の無線通信デバイス１０４と通信する局である。基地局１０２は、アクセスポイント、ブロードキャスト送信機、ノードＢ、発展型ノードＢなどとも呼ばれ、それらの機能性の一部または全てを含みうる。「基地局（Base Station）」という用語が本明細書において使用されるであろう。各基地局１２０は、特定の地理的エリアに対して通信カバレッジを提供する。基地局１０２は、１または複数の無線通信デバイス１０４に対して通信カバレッジを提供しうる。「セル（cell）」という用語は、この用語が使われるコンテンツに依存して、基地局１０２および／またはそのカバレッジエリアを指しうる。
【００２２】
無線システム（例えば、多元接続システム）における通信は、無線リンク上の伝送を通して達成されうる。このような通信リンクは、単一入力単一出力（ＳＩＳＯ）、多入力単一出力（ＭＩＳＯ）、または、多入力多出力（ＭＩＭＯ）システムを介して確立されうる。ＭＩＭＯシステムは、データ伝送のために、それぞれ、複数（ＮＴ個）の送信アンテナと複数（ＮＲ個）の受信アンテナとを備える送信機および受信機を含む。ＳＩＳＯおよびＭＩＳＯシステムは、ＭＩＭＯシステムの特定の例である。ＭＩＭＯシステムは、複数の送信および受信アンテナよって形成される次元性がさらに利用された場合に、向上した性能（例えば、より高いスループット、より大きい容量、または、改善された信頼性）を提供することができる。
【００２３】
無線通信システム１００は、ＭＩＭＯを利用しうる。ＭＩＭＯシステムは、時分割複信（ＴＤＤ）および周波数分割複信（ＦＤＤ）システムをサポートしうる。ＴＤＤシステムでは、相反原理によって、アップリンク１０８チャネルからのダウンリンク１０６チャネルの推定が可能となるように、アップリンク１０８ａ〜ｂおよびダウンリンク１０６ａ〜ｂ伝送は、同一の周波数領域上に存在する。これにより、送信側の無線デバイスは、送信側の無線デバイスによって受信される通信から送信ビームフォーミング利得を抽出することができる。
【００２４】
無線通信システム１００は、利用可能なシステムリソース（例えば、帯域幅および伝送電力）を共有することによって、複数の無線通信デバイス１０４との通信をサポートすることができる多元接続システムでありうる。このような多元接続システムの例は、符号分割多元接続（ＣＤＭＡ）システム、広域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、第３世代パートナーシッププロジェクト（３ＧＰＰ）ロングタームエボリューション（ＬＴＥ）システム、空間分割多元接続（ＳＤＭＡ）システムを含む。
【００２５】
「ネットワーク（network）」および「システム（system）」という用語は交換可能に使用されることが多い。ＣＤＭＡネットワークは、ＵＴＲＡ（Universal Terrestrial Radio Access）、ｃｄｍａ２０００等のような無線テクノロジを実施しうる。ＵＴＲＡは、Ｗ−ＣＤＭＡおよび低チップレート（ＬＣＲ）を含み、ｃｄｍａ２０００は、ＩＳ−２０００、ＩＳ−９５、ＩＳ−８５６標準をカバーする。ＴＤＭＡネットワークは、ＧＳＭ（登録商標）（Global System for Mobile Communications）のような無線テクノロジを実施しうる。ＯＦＤＭＡネットワークは、次世代ＵＴＲＡ（Ｅ−ＵＴＲＡ）、ＩＥＥＥ ８０２．１１、ＩＥＥＥ ８０２．１６、ＩＥＥＥ ８０２．２０、フラッシュＯＦＤＭＡ（登録商標）等のような無線テクノロジを実施しうる。ＵＴＲＡ、Ｅ−ＵＴＲＡ、ＧＳＭは、ＵＭＴＳの一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、ＬＴＥは、「第３世代パートナーシッププロジェクト（３ＧＰＰ）」という名称の団体からの文書に記載されている。ｃｄｍａ２０００は、「第３世代パートナーシッププロジェクト２（３ＧＰＰ２）」という名称の団体からの文書に記載されている。明瞭さのために、当技術の特定の態様は、ＬＴＥに関して下に記述され、下の記述の大部分において、ＬＴＥ用語が使用される。
【００２６】
ＵＴＲＡＮ（UMTS Terrestrial Radio Access Network）は、ＵＭＴＳ無線アクセスネットワークを作る、ノードＢ（または、基地局１０２）と、それが含むノードＢのための制御機器（または、無線ネットワークコントローラ（ＲＮＣ））との全体語（collective term）である。これは、実時間回路切替およびインターネットプロトコル（ＩＰ）ベースのパケット交換トラフィックタイプの両方を搬送することができる第３世代通信ネットワークである。
【００２７】
ＵＴＲＡＮは、Ｉｕ、Ｕｕ，Ｉｕｂ、Ｉｕｒという４つのインターフェースによって、別の機能エンティティに内部的または外部的に接続される。ＵＴＲＡＮは、Ｉｕと呼ばれる外部インターフェースを介してＧＳＭコアネットワークに接続（attach）される。無線ネットワークコントローラ（ＲＮＣ）は、このインターフェースをサポートする。無線ネットワークコントローラ（ＲＮＣ）は、さらに、Ｉｕｂと呼ばれるインターフェースを通して基地局１０２のセットを管理する。Ｉｕｒインターフェースは、２つの無線ネットワークコントローラ（ＲＮＣ）を互いに接続する。ＵＴＲＡＮは、無線ネットワークコントローラ（ＲＮＣ）がＩｕｒインターフェースによって相互接続されるため、コアネットワークから大部分が自立している。Ｕｕも外部のものであり、ノードＢをユーザ機器（ＵＥ）と接続する。Ｉｕｂは、無線ネットワークコントローラ（ＲＮＣ）をノードＢと接続する内部インターフェースである。
【００２８】
基地局１０２は、１または複数の無線通信デバイス１０４と通信しうる。例えば、基地局１０２は、第１の無線通信デバイス１０４ａおよび第２の無線通信デバイス１０４ｂと通信しうる。無線通信デバイス１０４は、端末、アクセス端末、ユーザ機器（ＵＥ）、加入者ユニット、局などとも呼ばれ、それらの機能性の一部または全てを含みうる。無線通信デバイス１０４は、セルラ電話、携帯情報端末（ＰＤＡ）、無線デバイス、無線モデム、ハンドヘルドデバイス、ラップトップコンピュータ等でありうる。
【００２９】
無線通信デバイス１０４は、所与の時間に、ダウンリンク１０６および／またはアップリンク１０８上で、０、１または複数の基地局１０２と通信しうる。ダウンリンク１０６（または順方向リンク）は、基地局１０２から無線通信デバイス１０４への通信リンクを指し、アップリンク１０８（または逆方向リンク）は、無線通信デバイス１０４から基地局１０２への通信リンクを指す。
【００３０】
３ＧＰＰリリース５以降、高速ダウンリンクパケットアクセス（ＨＳＤＰＡ）がサポートされる。３ＧＰＰリリース６以降、高速アップリンクパケットアクセス（ＨＳＵＰＡ）がサポートされる。ＨＳＤＰＡおよびＨＳＵＰＡは、ダウンリンクおよびアップリンク上での高速パケットデータ伝送を可能にするチャネルと手順のセットである。このように、ＨＳＤＰＡおよびＨＳＵＰＡは、高速パケットアクセス（ＨＳＰＡ）と名付けられたモバイル電話方式プロトコルのファミリの一部である。リリース７ ＨＳＰＡ＋は、３つの改良を用いてデータレートを改善する。第１に、ダウンリンク１０６上での２×２の多入力多出力（ＭＩＭＯ）に対するサポートが導入された。ＭＩＭＯの場合、ダウンリンク１０６上でサポートされるピークデータレートは、毎秒２８メガバイト（Ｍｂｐｓ）である。第２に、より高いオーダの変調がダウンリンク１０６上に導入された。ダウンリンク１０６上で６４個の直交振幅変調（ＱＡＭ）を使用することで、２１Ｍｂｐｓのピークデータレートが可能になる。第３に、より高いオーダの変調がアップリンク１０８上に導入された。アップリンク１０８上で１６個のＱＡＭを使用することで、１１Ｍｂｐｓのピークデータレートが可能になる。
【００３１】
ＨＳＵＰＡにおいて、基地局１０２は、いくつかの無線通信デバイス１０４が、特定の電力レベルで同時に送信すること（グラント（grant）を使用して）を可能にする。これらのグラントは、短期ベースで（すなわち、数十ミリ秒（ｍｓ）のオーダで）リソースを割り付ける高速スケジューリングアルゴリズムを使用して、無線通信デバイス１０４に割り当てられる。ＨＳＵＰＡの高速スケジューリングは、パケットデータのバーストな性質によく適している。高いアクティビティの期間中では、無線通信デバイス１０４は、より高い割合の利用可能なリソースを獲得し、低いアクティビティの期間中では、ほとんどあるいは全く帯域幅を獲得しない。
【００３２】
３ＧＰＰリリース５のＨＳＤＰＡにおいて、基地局１０２は、高速ダウンリンク共有チャネル（ＨＳ−ＤＳＣＨ）上でダウンリンクペイロードデータを無線通信デバイスに送りうる。基地局１０２は、さらに、高速共有制御チャネル（ＨＳ−ＳＣＣＨ）上でダウンリンクデータと関連付けられた制御情報を送りうる。データ伝送に使用される２５６個の直交可変拡散率（ＯＶＳＦ）符号（またはウォルシュ符号（Walsh code））が存在する。ＨＳＤＰＡシステムにおいて、これらの符号は、典型的にセルラ電話形式（音声）に使用されるリリース１９９９（レガシシステム）符号と、データサービスに使用されるＨＳＤＰＡ符号とに分割される。各伝送時間インターバル（ＴＴＩ）について、ＨＳＤＰＡ対応無線通信デバイス１０４に送られる専用制御情報は、ダウンリンクペイロードデータを無線通信デバイス１０４に送るために符号空間内のどの符号が使用されるのかと、ダウンリンクペイロードデータの伝送に使用されるであろう変調とを無線通信デバイス１０４に示しうる。
【００３３】
ＨＳＤＰＡ動作の場合、無線通信デバイス１０４ａ〜ｂへのダウンリンク伝送は、１５個の利用可能なＨＳＤＰＡ直交可変拡散率（ＯＶＳＦ）符号を使用して、異なる伝送時間インターバル（ＴＴＩ）に対してスケジューリングされうる。所与の伝送時間インターバル（ＴＴＩ）について、各無線通信デバイス１０４は、その伝送時間インターバル（ＴＴＩ）の間に無線通信デバイス１０４に割り付けられたダウンリンク帯域幅に依存して、１５個のＨＳＤＰＡ符号のうちの１または複数を使用している可能性がある。上で論述されたように、各伝送時間インターバル（ＴＴＩ）について、制御情報は、ダウンリンクペイロードデータ（無線通信システム１００の制御データ以外のデータ）を無線通信デバイス１０４に送るために符号空間内のどの符号が使用されるのかを、ダウンリンクペイロードデータの伝送に対して使用されるであろう変調と共に無線通信デバイス１０４に示す。
【００３４】
基地局１０２から受信される通信に基づいて、無線通信デバイス１０４は、１または複数のチャネル品質インジケータ（ＣＱＩ）１１２ａ〜ｂを生成しうる。各チャネル品質インジケータ（ＣＱＩ）１１２は、基地局１０２と無線通信デバイス１０４との間のダウンリンク１０６チャネルについてのチャネル測定でありうる。チャネル品質インジケータ（ＣＱＩ）１１２は、無線通信システム１００で使用される伝送スキームに依存しうる。多入力多出力（ＭＩＭＯ）通信が基地局１０２と無線通信デバイス１０４との間で使用されるため、各チャネル品質インジケータ（ＣＱＩ）１１２は、基地局１０２と無線通信デバイス１０４との間の異なるダウンリンク１０６チャネル（すなわち、異なる送信アンテナおよび受信アンテナのペア）に対応しうる。
【００３５】
無線通信デバイス１０４は、チャネル品質インジケータ（ＣＱＩ）１１２を使用して、選好ビーム（preferred beam）１１０ａ〜ｂを決定しうる。選好ビーム１１０は、基地局１０２によって無線通信デバイス１０４に送信される信号のアンテナ構造、重み、伝送方向、位相を指しうる。「ビーム（beam）」および「事前符号化ベクトル（precoding vector）」という用語は、データがアンテナから無線でストリーミングされる方向を指しうる。多入力多出力（ＭＩＭＯ）において、基地局１０２と無線通信デバイス１０４との間で情報を送信するために、複数のビームが使用されうる。このため、選好ビームは、基地局１０２と無線通信デバイス１０４との間で最良の（すなわち、最適な）データストリームを生成するビームを指しうる。
【００３６】
ＨＳＰＡのリリース７において、単一ユーザＭＩＭＯ（ＳＵ−ＭＩＭＯ）が使用される。無線通信デバイス１０４が良いジオメトリ（geometry）を有している場合（すなわち、無線通信デバイス１０４が基地局１０２に対して良い位置にいる場合）、無線通信デバイス１０４は、基地局１０２からのデュアルストリーム伝送を要求しうる。デュアルストリーム伝送において、基地局１０２は、１つの伝送時間インターバル（ＴＴＩ）の間に、第１のデータストリームおよび第２のデータストリームを無線通信デバイス１０４に送信しうる。第１のデータストリームおよび第２のデータストリームは、直交アンテナビーム上で送信されうる。データストリームのうちの１つ（すなわち、選好データストリーム）が、他よりも高いスループットを有するであろうことは固有である。ＭＩＭＯ対応無線通信デバイス１０４がデュアルストリーム伝送を要求する場合、選好ビームのチャネル品質インジケータ（ＣＱＩ）１１２は、選好ビームに加えて使用される直交ビームのそれよりも高くありうる。よって、両方のデータストリーム上で無線通信デバイス１０４に送信することは、最も効率の良いリソースの使用に帰着しない可能性がある。
【００３７】
対照的に、マルチユーザＭＩＭＯ（ＭＵ−ＭＩＭＯ）は、基地局１０２のリソースをよりインテリジェントに使用することによって、典型的なＳＵ−ＭＩＭＯよりも、ダウンリンク１０６上でのユーザスループットを増加させうる。ＭＵ−ＭＩＭＯは、単一の無線通信デバイス１０４へのデュアルストリーム伝送と比べて、特定の伝送時間インターバル（ＴＴＩ）のスループットの増加を可能にしうる。このように、ダウンリンクデータストリーム選択モジュール１１４は、単一の無線通信デバイス１０４へのデュアルダウンリンクデータストリームを使用する（すなわち、ＳＵ−ＭＩＭＯ）か、第１の無線通信デバイス１０４ａには第１のデータストリームを、第２の無線通信デバイス１０４ｂには第１のデータストリームに直交である第２のデータストリームを使用する（すなわち、ＭＵ−ＭＩＭＯ）かを決定しうる。
【００３８】
チャネル品質インジケータ（ＣＱＩ）１１２は、単一ストリーム伝送またはデュアルストリーム伝送を求める要求に対応しうる。上で論述されたように、無線通信デバイス１０４は、複数のチャネル品質インジケータ（ＣＱＩ）１１２を含みうる。無線通信デバイス１０４は、それぞれの伝送時間インターバル（ＴＴＩ）について複数のチャネル品質インジケータ（ＣＱＩ）１１２を生成しうる。無線通信デバイス１０４は、全ての伝送時間インターバル（ＴＴＩ）について全てのチャネル品質インジケータ（ＣＱＩ）１１２を基地局１０２に送るわけではない。現在の標準において、無線通信デバイス１０４は、各伝送時間インターバル（ＴＴＩ）についての最適なチャネル品質インジケータ（ＣＱＩ）１１２のみを基地局１０２に送りうる。
【００３９】
基地局１０２に関して良いジオメトリを有している（すなわち、基地局１０２と無線通信デバイス１０４との間のチャネル品質が閾値を上回る）と無線通信デバイス１０４が決定すると、この無線通信デバイス１０４は、最適なデュアルストリーム多入力多出力（ＭＩＭＯ）チャネル品質インジケータ（ＣＱＩ）１１２を基地局１０２に送りうる。基地局１０２に関して悪いジオメトリを有している（すなわち、基地局１０２と無線通信デバイス１０４との間のチャネル品質が閾値を下回る）と無線通信デバイス１０４が決定すると、この無線通信デバイス１０４は、最適な単一ストリーム多入力多出力（ＭＩＭＯ）チャネル品質インジケータ（ＣＱＩ）１１２を基地局１０２に送りうる。
【００４０】
しかしながら、これらのチャネル品質インジケータ（ＣＱＩ）１１２は、ストリーム間干渉（ＩＳＩ）を考慮に入れない。ストリーム間干渉（ＩＳＩ）は、基地局１０２が複数のデータストリームを同時に送信する場合に生じうる干渉を指す。ストリーム間干渉（ＩＳＩ）が考慮されない場合、基地局１０２は、無線通信デバイス１０４が復号できないビットレートを使用する可能性がある。
【００４１】
各無線通信デバイス１０４は、チャネル品質インジケータ（ＣＱＩ）フィードバックモジュール１１９ａ〜ｂを含みうる。チャネル品質インジケータ（ＣＱＩ）フィードバックモジュール１１９は、どのチャネル品質インジケータ（ＣＱＩ）１１２を基地局１０２に送るかを決定するために、無線通信デバイス１０４によって使用されうる。チャネル品質インジケータ（ＣＱＩ）フィードバックモジュール１１９は、ストリーム間干渉（ＩＳＩ）を考慮するために調整されるいくつかの単一ストリームチャネル品質インジケータ（ＣＱＩ）１１２を生成しうる。１つの構成において、チャネル品質インジケータ（ＣＱＩ）フィードバックモジュール１１９は、各伝送時間インターバル（ＴＴＩ）に対して、リリース７使用して生成されたチャネル品質インジケータ（ＣＱＩ）１１２と、ストリーム間干渉（ＩＳＩ）を加味して調整されたチャネル品質インジケータ１１２とを交互に送りうる。
【００４２】
無線通信デバイス１０４は、アップリンク１０８チャネルを介して、チャネル品質インジケータ（ＣＱＩ）１１２を基地局１０２に送信しうる。よって、基地局１０２は、チャネル品質インジケータ（ＣＱＩ）１１６を、多数のダウンリンク１０６チャネルに対応する多数の無線通信デバイス１０４から受信しうる。基地局１０２は、ダウンリンクデータストリーム選択モジュール１１４を含みうる。ダウンリンクデータストリーム選択モジュール１１４は、受信されたチャネル品質インジケータ（ＣＱＩ）１１６を含みうる。ダウンリンクデータストリーム選択モジュール１１４は、受信されたチャネル品質インジケータ（ＣＱＩ）１１６を使用して、各無線通信デバイス１０４に対するスケジューリングを決定しうる。ダウンリンクデータ選択モジュール１１４は、図２に関して以下により詳細に論述される。
【００４３】
ダウンリンクデータストリーム選択モジュール１１４は、データレート１２１を含みうる。データレート１２１は、ダウンリンク１０６データストリームのビットレートを指しうる。ダウンリンクデータストリーム選択モジュール１１４は、さらに、マルチユーザ多入力多出力（ＭＵ−ＭＩＭＯ）適応外側ループマージン１１５を含みうる。マルチユーザ多入力多出力（ＭＵ−ＭＩＭＯ）適応外側ループマージン１１５は、基地局１０２が、各チャネル品質インジケータ（ＣＱＩ）１１２フィードバック周期のデータレート１２１に適用する調整でありうる。チャネル品質インジケータ（ＣＱＩ）１１２フィードバック周期が１の場合、無線通信デバイス１０４は、伝送時間インターバル（ＴＴＩ）ごとにチャネル品質インジケータ（ＣＱＩ）１１２を報告しうる。
【００４４】
マルチユーザ多入力多出力（ＭＵ−ＭＩＭＯ）適応外側ループマージン１１５は、無線通信デバイス１０４が単一ストリームチャネル品質インジケータ（ＣＱＩ）１１２を送り、基地局１０２がマルチユーザ多入力多出力（ＭＵ−ＭＩＭＯ）伝送を使用すると決定した場合、データレート１２１を増加または減少させるために、基地局１０２によって使用されうる。
【００４５】
ダウンリンクデータストリーム選択モジュール１１４は、さらに、単一ユーザ多入力多出力（ＳＵ−ＭＩＭＯ）適応外側ループマージン１１７を含みうる。単一ユーザ多入力多出力（ＳＵ−ＭＩＭＯ）適応外側ループマージン１１７は、無線通信デバイス１０４が単一ストリーム伝送またはデュアルストリーム伝送のいずれかを要求し、基地局１０２が単一ユーザ多入力多出力（ＳＵ−ＭＩＭＯ）伝送を使用すると決定した場合、または、無線通信デバイス１０４がデュアルストリーム伝送を要求し、基地局１０２がマルチユーザ多入力多出力（ＭＵ−ＭＩＭＯ）伝送を使用すると決定した場合、データレート１２１を増加または減少させるために、基地局１０２によって使用されうる。単一ユーザ多入力多出力（ＳＵ−ＭＩＭＯ）適応外側ループマージン１１７と、マルチユーザ多入力多出力（ＭＵ−ＭＩＭＯ）適応外側ループマージン１１５の両方は、無線通信デバイス１０４からの肯定応答／否定応答（ＡＣＫ／ＮＡＣＫ）の受信に基づいて調整／更新されうる。単一ユーザ多入力多出力（ＳＵ−ＭＩＭＯ）適応外側ループマージン１１７およびマルチユーザ多入力多出力（ＭＵ−ＭＩＭＯ）適応外側ループマージン１１５は、図３に関連して下にさらに詳細に論述される。
【００４６】
図２は、複数の無線デバイスを有する別の無線通信システム２００を示す。無線通信システム２００は、ノードＢ ２０２を含みうる。図２のノードＢ ２０２は、図１の基地局１０２の１つの構成でありうる。無線通信システム２００は、さらに、第１のユーザ機器（ＵＥ）２０４ａおよび第２のユーザ機器（ＵＥ）２０４ｂを含みうる。図２の第１のユーザ機器（ＵＥ）２０４ａおよび第２のユーザ機器（ＵＥ）２０４ｂは、図１の無線通信デバイス１０４ａ〜ｂの１つの構成でありうる。
【００４７】
ノードＢ ２０２は、ダウンリンクデータストリーム選択モジュール２１４を含みうる。図２のダウンリンクデータストリーム選択モジュール２１４は、図１のダウンリンクデータストリーム選択モジュール１１４の１つの構成でありうる。ダウンリンクデータストリーム選択モジュール２１４は、ユーザ機器（ＵＥ）ペアリングモジュール２２２を含みうる。ユーザ機器（ＵＥ）ペアリングモジュール２２２は、１または複数のユーザ機器（ＵＥ）ペア２２４を決定しうる。ユーザ機器（ＵＥ）ペア２２４は、互いに直交する選好データストリーム２１８を有する２つのユーザ機器（ＵＥ）２０４を指しうる。ユーザ機器（ＵＥ）ペア２２４は、図４に関連して以下にさらに詳細に論述される。ノードＢ ２０２は、さらに、選択されたユーザ機器（ＵＥ）ペア２２５を含みうる。ノードＢ ２０２は２つの直交データストリームしか同時には送信できないため、１つのユーザ機器（ＵＥ）ペア２２４だけがユーザ機器（ＵＥ）ペア２２５として選択されうる。最適化手順が使用され、選択ユーザ機器（ＵＥ）ペア２２５を決定しうる。
【００４８】
ノードＢ ２０２は、ユーザ機器（ＵＥ）ペア２２４を選択ユーザ機器（ＵＥ）ペア２２５として選択しうる。１つの構成において、ノードＢ ２０２は、２つの異なるユーザ機器（ＵＥ）２０４についてのデータストリームの合計レートが、２つのデータストリームのＵＥ固有合計レートよりも大きい場合にユーザ機器（ＵＥ）ペア２２４を選択しうる。例えば、第１のユーザ機器（ＵＥ）２０４ａが、２つのデータストリームを要求する場合、第１のユーザ機器（ＵＥ）２０４ａは、選好プライマリ事前符号化ベクトルｂ１と、選好（強い）データストリーム２１８ａおよびセカンダリ（弱い）データストリーム２２０にそれぞれ対応する２つのチャネル品質インジケータ（ＣＱＩ）１１２ ＣＱＩ１およびＣＱＩ２とを報告しうる。同様に、第２のユーザ機器（ＵＥ）２０４ｂが２つのデータストリームを要求する場合、第２のユーザ機器（ＵＥ）２０４ｂは、選好プライマリ事前符号化ベクトルｂ２と、両方のデータストリームについてのチャネル品質インジケータ（ＣＱＩ）１１２ ＣＱＩ１’およびＣＱＩ２’とを報告しうる。
【００４９】
選好セカンダリ事前符号化ベクトル（これはｂ１に直交である）はｂ２であり、選好プライマリ事前符号化ベクトルｂ１に基づいて基地局１０２により知られている可能性がある。ＣＱＩ１＞ＣＱＩ’であり、ＣＱＩ２＞ＣＱＩ２’である場合、第１のユーザ機器（ＵＥ）選好データストリーム２１８ａは、事前符号化ベクトルｂ１にマッピングされ、第２のユーザ機器（ＵＥ）選好データストリーム２１８ｂは、事前符号化ベクトルｂ２にマッピングされうる。基地局１０２は、直交ビーム上で所与の伝送時間インターバル（ＴＴＩ）に最大で２つのデータストリームしか送ることができない。このように、直交の選好ビーム２２８を有するユーザ機器（ＵＥ）２０４しかペアリングされない可能性がある。
【００５０】
第１のユーザ機器（ＵＥ）２０４ａおよび第２のユーザ機器（ＵＥ）２０４ｂの両方がビームｂ１およびｂ２を要求する場合、ノードＢ ２０２は、ビームｂ１およびｂ２上で、２つのユーザ機器（ＵＥ）２０４をペアリングしうる。このペアリングが伝送時間インターバル（ＴＴＩ）の間に特定のメトリックを最大化しているとノードＢ ２０２がわかると、ノードＢ ２０２は、同一の直交可変拡散率（ＯＶＳＦ）符号２２６を使用し、同一の伝送時間インターバル（ＴＴＩ）において選択ユーザ機器（ＵＥ）ペア２２５へのデータストリームをスケジュールしうる。直交可変拡散率（ＯＶＳＦ）符号２２６は、個々の通信チャネルを一意的に識別することを容易にする直交符号である。最大化されうるメトリックの１つの例は、合計比例公平メトリック（sum proportional fair metric）である。この合計比例公平メトリックにおいて、ＭＵ−ＭＩＭＯ伝送が考慮される度にストリームごとの比例公平メトリックが合計される。別のメトリックも使用されうる。
【００５１】
ノードＢ ２０２は、ＳＵ−ＭＩＭＯを使用して、第１の伝送時間インターバル（ＴＴＩ）の間に第１のユーザ機器（ＵＥ）２０４ａと通信しうる。例えば、ノードＢ ２０２は、第１の選好ビーム２２８ａを使用して、第１のユーザ機器（ＵＥ）選好データストリーム２１８ａを第１のユーザ機器（ＵＥ）２０４ａに送信しうる。ノードＢ ２０２は、さらに、第１のセカンダリビーム２３０ａを使用して、第１のユーザ機器（ＵＥ）セカンダリデータストリーム２２０ａを第１のユーザ機器（ＵＥ）２０４ａに送信しうる。第１の選好ビーム２２８ａおよび第１のセカンダリビーム２３０ａは、互いに直交でありうる。
【００５２】
第２の伝送時間インターバル（ＴＴＩ）の間、ノードＢ ２０２は、第２のユーザ機器（ＵＥ）２０４ｂと通信しうる。例えば、ノードＢ ２０２は、第２の選好ビーム２２８ｂを使用して第２のユーザ機器（ＵＥ）選好データストリーム２１８ｂを第２のユーザ機器（ＵＥ）２０４ｂに送信しうる。ノードＢ ２０２は、さらに、第２のセカンダリビーム２３０ｂを使用して、第２のユーザ機器（ＵＥ）セカンダリデータストリーム２２０ｂを第２のユーザ機器（ＵＥ）２０４ｂに送信しうる。第２の選好ビーム２２８ｂおよび第２のセカンダリビーム２３０ｂは互いに直交でありうる。
【００５３】
２つのデータストリームを直交ビームで同一のユーザ機器（ＵＥ）２０４に送ることは、無線通信システム２００に対して最良のリソース使用に帰着しない可能性がある。換言すると、選好データストリーム２１８が、セカンダリデータストリーム２２０よりも強いチャネル品質インジケータ（ＣＱＩ）１１２を有するため、２つのデータストリームを直交ビームで同一のユーザ機器（ＵＥ）２０４に送ることは、最も効率的な方法でノードＢ ２０２に電力を割り付けない可能性がある。各データストリームを送信するために同じ量の電力が使用される場合、セカンダリデータストリーム２２０のスループットは、選好データストリーム２１８のスループットよりも低くなるであろう（セカンダリデータストリーム２２０がより低いチャネル品質インジケータ（ＣＱＩ）１１２を有するため）。
【００５４】
ＳＵ−ＭＩＭＯの代わりにＭＵ−ＭＩＭＯを使用することによって、ダウンリンク１０６上のユーザスループットは、ノードＢ ２０２のリソースをよりインテリジェントに使用することによって増やされうる。ＭＵ−ＭＩＭＯにおいて、ノードＢ ２０２は、互いに直交である選好ビーム２２８を有する第１のユーザ機器（ＵＥ）２０４ａおよび第２のユーザ機器（ＵＥ）２０４ｂを見つけうる。第１のユーザ機器（ＵＥ）２０４ａと第２のユーザ機器（ＵＥ）２０４ｂとは、ユーザ機器（ＵＥ）ペア２２４と呼ばれうる。
【００５５】
１つの伝送時間インターバル（ＴＴＩ）の間にデュアルストリーム（すなわち、選好データストリーム２１８とセカンダリデータストリーム２２０）をユーザ機器（ＵＥ）２０４に送信する代わりに、ノードＢ ２０２は、第２のユーザ機器（ＵＥ）選好データストリーム２１８ｂを第２のユーザ機器（ＵＥ）２０４ｂに送信するのと同時に、第１のユーザ機器（ＵＥ）選好データストリーム２１８ａを第１のユーザ機器（ＵＥ）２０４ａに送信しうる。このように、ノードＢ ２０２は、第１のユーザ機器（ＵＥ）セカンダリデータストリーム２２０ａおよび第２のユーザ機器（ＵＥ）セカンダリデータストリーム２２０ｂの送信をやめる。ノードＢ ２０２は、同一の符号（例えば、１６個の拡散率を有する直交可変拡張率（ＯＶＳＦ）符号２２６）を使用して、第１のユーザ機器（ＵＥ）選好データストリーム２１８ａおよび第２のユーザ機器（ＵＥ）選好データストリーム２１８ｂを送信しうる。ノードＢ ２０２はより低いスループットのデータストリームに電力を割り付ける必要がないため、無線通信システム２００のスループットは改善されうる。
【００５６】
ノードＢ ２０２は、第１の選好ビーム２２８ａを使用して、第１のユーザ機器（ＵＥ）選好ユーザストリーム２１８ａを送信しうる。ノードＢ ２０２は、第１のセカンダリビーム２３０ａを使用して、第１のユーザ機器（ＵＥ）セカンダリデータストリーム２２０ａを送信しうる。ノードＢ ２０２は、第２の選好ビームを使用して、第２のユーザ機器（ＵＥ）選好データストリーム２１８ｂを送信しうる。ノードＢ ２０２は、さらに、第２のセカンダリビーム２３０ｂを使用して、第２のユーザ機器（ＵＥ）セカンダリデータストリーム２２０ｂを送信しうる。第１のユーザ機器（ＵＥ）２０４ａおよび第２のユーザ機器（ＵＥ）２０４ｂがユーザ機器（ＵＥ）ペア２２４である場合、第１の選好ビーム２２８ａおよび第２の選好ビーム２２８ｂは直交である。
【００５７】
図３は、単一ユーザ多入力多出力（ＳＵ−ＭＩＭＯ）伝送およびマルチユーザ多入力多出力（ＭＵ−ＭＩＭＯ）伝送の両方におけるストリーム間干渉（ＩＳＩ）を考慮するようにデータレート１２１を調整するための方法３００のフロー図である。方法３００は、基地局１０２によって実行されうる。１つの構成において、基地局１０２は、ノードＢ ２０２でありうる。図３の方法３００は、基地局１０２と通信状態にあるユーザ機器（ＵＥ）２０４に変化を報告するチャネル品質インジケータ（ＣＱＩ）１１２を要求しない。
【００５８】
基地局１０２は、第１のデータレート１２１での単一ストリーム伝送を要求するユーザ機器（ＵＥ）２０４からチャネル品質インジケータ（ＣＱＩ）１１２を受信しうる（３０２）。このチャネル品質インジケータ（ＣＱＩ）１１２は、基地局１０２がデュアルストリーム伝送を使用する場合に生じうるストリーム間干渉（ＩＳＩ）を考慮に入れない可能性がある。受信されたチャネル品質インジケータ（ＣＱＩ）１１２がデュアルストリーム伝送を要求している場合、方法３００は適用されない。これは、デュアルストリーム伝送を要求するユーザ機器（ＵＥ）２０４が、ストリーム間干渉（ＩＳＩ）を考慮に入れた各ストリーム上で基地局１０２から特定のビットレートを要求するためである。
【００５９】
チャネル品質インジケータ（ＣＱＩ）１１２を受信した後、基地局１０２は、データ伝送に対して、単一ユーザ多入力多出力（ＳＵ−ＭＩＭＯ）を使用するか、マルチユーザ多入力多出力（ＭＵ−ＭＩＭＯ）を使用するかを決定しうる（３０４）。基地局１０２は、ランキングアルゴリズムを使用して、データ伝送に対して、単一ユーザ多入力多出力（ＳＵ−ＭＩＭＯ）を使用するか、マルチユーザ多入力多出力（ＭＵ−ＭＩＭＯ）を使用するかを決定しうるランキングアルゴリズムは、下にさらに詳細に論述される。
【００６０】
基地局１０２がデータ伝送に対してマルチユーザ多入力多出力（ＭＵ−ＭＩＭＯ）の使用を決定すると、基地局１０２は、第１のデータレート１２１をマルチユーザ多入力多出力（ＭＵ−ＭＩＭＯ）適応外側ループマージン１１５ぶん調整して、第２のデータレート１２１を取得しうる（３０６）。マルチユーザ多入力多出力（ＭＵ−ＭＩＭＯ）適応外側ループマージン１１５は、ｄＢ（対数）ドメインにおいて正または負でありうる。マルチユーザ多入力多出力（ＭＵ−ＭＩＭＯ）適応外側ループマージン１１５は、対数ドメインでは加法的であり、線形ドメインでは乗法的でありうる。１つの構成において、マルチユーザ多入力多出力（ＭＵ−ＭＩＭＯ）適応外側ループマージン１１５は、定数ではない可能性があり、その代わりとして、マルチユーザ多入力多出力（ＭＵ−ＭＩＭＯ）適応外側ループマージン１１５は、ＡＣＫ／ＮＡＣＫが受信される度に更新されうる。別の構成において、マルチユーザ多入力多出力（ＭＵ−ＭＩＭＯ）適応外側ループマージン１１５は定数でありうる。次に、基地局１０２は、第２のデータレート１２１で、マルチユーザ多入力多出力（ＭＵ−ＭＩＭＯ）を使用してデータストリームをユーザ機器（ＵＥ）２０４に送信しうる（３０８）。
【００６１】
基地局１０２は、ユーザ機器（ＵＥ）２０４からＡＣＫ／ＮＡＣＫを受信しうる（３１０）。次に、基地局１０２は、対応するデータ伝送に対してＡＣＫが受信されたかＮＡＣＫが受信されたかを決定しうる（３１２）。ＡＣＫが受信された場合（すなわち、ユーザ機器（ＵＥ）２０４が成功裏にデータ伝送を復号することができた場合）、基地局１０２は、マルチユーザ多入力多出力（ＭＵ−ＭＩＭＯ）適応外側ループマージン１１５を減らしうる（３１４）。１つの構成において、基地局１０２は、マルチユーザ多入力多出力（ＭＵ−ＭＩＭＯ）適応外側ループマージン１１５をインクリメント的に減らしうる（３１４）。さらに別の構成において、基地局１０２は、関数を使用して、マルチユーザ多入力多出力（ＭＵ−ＭＩＭＯ）適応外側ループマージン１１５を減らしうる（３１４）。次に、基地局１０２は、ユーザ機器（ＵＥ）２０４から別のチャネル品質インジケータ（ＣＱＩ）１１２を受信するのを待ちうる（３０２）。
【００６２】
ＮＡＣＫが受信された場合（すなわち、ユーザ機器（ＵＥ）２０４がデータ伝送を成功裏に復号できなかった場合）、基地局１０２は、マルチユーザ多入力多出力（ＭＵ−ＭＩＭＯ）適応外側ループマージン１１５を増加させうる（３１６）。１つの構成において、基地局１０２は、マルチユーザ多入力多出力（ＭＵ−ＭＩＭＯ）適応外側ループマージン１１５をインクリメント的に増加させうる（３１６）。さらに別の構成において、基地局１０２は、関数を使用して、マルチユーザ多入力多出力（ＭＵ−ＭＩＭＯ）適応外側ループマージン１１５を増加させうる（３１６）。次に、基地局１０２は、ユーザ機器（ＵＥ）２０４から別のチャネル品質インジケータ（ＣＱＩ）１１２を受信するのを待ちうる（３０２）。
【００６３】
基地局１０２がデータ伝送に対して単一ユーザ多入力多出力（ＳＵ−ＭＩＭＯ）の使用を決定すると、基地局１０２は、第１のデータレート１２１を単一ユーザ多入力多出力（ＳＵ−ＭＩＭＯ）適応外側ループマージン１１７だけ調整して、第３のデータレート１２１を取得しうる（３１８）。単一ユーザ多入力多出力（ＳＵ−ＭＩＭＯ）適応外側ループマージン１１７は、ｄＢ（対数）ドメインにおいて正または負でありうる。単一ユーザ多入力多出力（ＳＵ−ＭＩＭＯ）適応外側ループマージン１１７は、対数ドメインでは加法的であり、線形ドメインでは乗法的でありうる。１つの構成において、単一ユーザ多入力多出力（ＳＵ−ＭＩＭＯ）適応外側ループマージン１１７は、定数ではない可能性があり、その代わりとして、単一ユーザ多入力多出力（ＳＵ−ＭＩＭＯ）適応外側ループマージン１１７は、ＡＣＫ／ＮＡＣＫが受信される度に更新されうる。別の構成において、単一ユーザ多入力多出力（ＳＵ−ＭＩＭＯ）適応外側ループマージン１１７は定数でありうる。次に、基地局１０２は、第３のデータレート１２１で、単一ユーザ多入力多出力（ＳＵ−ＭＩＭＯ）を使用してデータストリームをユーザ機器（ＵＥ）２０４に送信しうる（３２０）。
【００６４】
基地局１０２は、ＡＣＫ／ＮＡＣＫをユーザ機器（ＵＥ）２０４から受信しうる（３２２）。次に、基地局１０２は、対応するデータ伝送に対してＡＣＫが受信されたかＮＡＣＫが受信されたかを決定しうる（３２４）。ＡＣＫが受信された場合（すなわち、ユーザ機器（ＵＥ）２０４が成功裏にデータ伝送を復号することができた場合）、基地局１０２は、単一ユーザ多入力多出力（ＳＵ−ＭＩＭＯ）適応外側ループマージン１１７を減らしうる（３２６）。１つの構成において、基地局１０２は、単一ユーザ多入力多出力（ＳＵ−ＭＩＭＯ）適応外側ループマージン１１７をインクリメント的に減らしうる（３２６）。さらに別の構成において、基地局１０２は、関数を使用して、単一ユーザ多入力多出力（ＳＵ−ＭＩＭＯ）適応外側ループマージン１１７を減らしうる（３２６）。次に、基地局１０２は、別のチャネル品質インジケータ（ＣＱＩ）１１２をユーザ機器（ＵＥ）２０４から受信するのを待ちうる（３０２）。
【００６５】
ＮＡＣＫが受信された場合（すなわち、ユーザ機器（ＵＥ）２０４がデータ伝送を成功裏に復号できなかった場合）、基地局１０２は、単一ユーザ多入力多出力（ＳＵ−ＭＩＭＯ）適応外側ループマージン１１７を増加させうる（３２８）。１つの構成において、基地局１０２は、単一ユーザ多入力多出力（ＳＵ−ＭＩＭＯ）適応外側ループマージン１１７をインクリメント的に増加させうる（３２８）。さらに別の構成において、基地局１０２は、関数を使用して、単一ユーザ多入力多出力（ＳＵ−ＭＩＭＯ）適応外側ループマージン１１７を増加させうる（３２８）。次に、基地局１０２は別のチャネル品質インジケータ（ＣＱＩ）１１２を、ユーザ機器（ＵＥ）２０４から受信するのを待ちうる（３０２）。
【００６６】
単一ユーザ多入力多出力（ＳＵ−ＭＩＭＯ）適応外側ループマージン１１７およびマルチユーザ多入力多出力（ＭＵ−ＭＩＭＯ）適応外側ループマージン１１５が動的であるため、図３の方法３００は、デュアル外側ループアルゴリズムと呼ばれうる。このデュアル外側ループアルゴリズムの１つの利点は、プロトコル（例えば、３ＧＰＰによって確立される高速パケットアクセス（ＨＳＰＡ）標準）を報告するチャネル品質インジケータ（ＣＱＩ）１１２への変更が要求されないことである。可能性のある１つの不利な点は、単一ユーザ多入力多出力（ＳＵ−ＭＩＭＯ）適応外側ループマージン１１７およびマルチユーザ多入力多出力（ＭＵ−ＭＩＭＯ）適応外側ループマージン１１５が比較的ゆっくりと変化し、最適な性能を抑制することでありうる。
【００６７】
図４は、ユーザ機器（ＵＥ）４０４をペアリングするための比較表を示すブロック図である。この表において、ユーザ機器（ＵＥ）ペア４３２を決定するために、５個のユーザ機器（ＵＥ）４０４ａ〜ｅが比較される。ユーザ機器（ＵＥ）４０４の各々はデュアルストリームに対応している。しかしながら、各ユーザ機器（ＵＥ）４０４の選好ビーム２２８だけが、他の各ユーザ機器（ＵＥ）４０４の選好ビーム２２８と比較される。
【００６８】
ユーザ機器（ＵＥ）ペア４３２は、１つのユーザ機器（ＵＥ）４０４の選好ビーム２２８が別のユーザ機器（ＵＥ）４０４の選好ビーム２２８に直交である場合に発生する。例えば、ＵＥ１ ４０４ａの選好ビーム２２８は、ＵＥ４ ４０４ｄの選好ビーム２２８に直交である。よって、ＵＥ１ ４０４ａとＵＥ４ ４０４ｄとはユーザ機器（ＵＥ）ペア４３２ａである。別の例において、ＵＥ２ ４０４ｂの選好ビーム２２８は、ＵＥ３ ４０４ｃの選好ビーム２２８に直交である。よって、ＵＥ２ ４０４ｂとＵＥ３ ４０４ｃとはユーザ機器（ＵＥ）ペア４３２ｂである。ユーザ機器（ＵＥ）４０４の選好ビーム２２８が直交ではない場合、マッチアップ（matchup）は非直交としてリストされうる。ユーザ機器（ＵＥ）４０４は、複数のユーザ機器（ＵＥ）４０４の選好ビーム２２８に直交である選好ビーム２２８を有しうる。ユーザ機器（ＵＥ）４０４は、さらに、ペアリングに利用可能なユーザ機器（ＵＥ）４０４のどの選好ビーム２２８とも直交でない選好ビーム２２８を有しうる。例えば、ＵＥ５ ４０４ｅは、他のユーザ機器（ＵＥ）４０４の選好ビーム２２８に直交ではない選好ビーム２２８を有しているとして示されている。
【００６９】
複数のユーザ機器（ＵＥ）ペア４３２の場合、基地局１０２は、ユーザ機器（ＵＥ）ペア４３２のうちの１つを選択しうる。ユーザ機器（ＵＥ）ペア４３２のうちの１つを選択するために、多くの異なる方法が使用されうる。例えば、合計比例公平メトリックが使用されうる。
【００７０】
一般的に、スケジューリングは、伝送時間インターバル（ＴＴＩ）ごとのリソースを特定のユーザに割り付けることで、ユティリティ関数Ｕ（Ｒ１（ｔ）,...,ＲＮ（ｔ））を最大化することを目的としている。比例公平についてのユティリティ関数は式（１）で示されている：  
【数１】
0005539527.tif 000002
【００７１】
式（１）において、Ｒｉ（ｔ）は、時間ｔにおけるユーザｉの平均スループットを表す。１つのストリームと仮定すると、式（１）は、式（２）における、伝送時間インターバル（ＴＴＩ）ごとのリソース割付ルールに同等である：  
【数２】
0005539527.tif 000003
【００７２】
式（２）において、ｒｉ（ｔ)は、時間ｔにおいてユーザｉに提供する瞬間レートを表し、δｉ∈｛０，１｝は、ユーザｉへのリソース割付を示す。スケジューラのタスクは、伝送時間インターバル（ＴＴＩ）ごとにリソースを割り付けること（すなわち、ユティリティ関数を最大化するようにインデックスδｉを選ぶこと）である。リソース割付ルールは、式（３）において、ＳＵ−ＭＩＭＯについて法則化されうる：  
【数３】
0005539527.tif 000004
【００７３】
２×２のＭＵ−ＭＩＭＯの場合、ユーザｉ１とｉ２とをペアリングするためのルールは、式（４）において示される：  
【数４】
0005539527.tif 000005
【００７４】
ペアリングアルゴリズムは、ＭＵ−ＭＩＭＯ比例公平ルールに従って、どのユーザとストリームが、伝送時間インターバル（ＴＴＩ）毎にペアリングされるかを決定する。次に、ペアリングアルゴリズムは、伝送時間インターバル（ＴＴＩ）毎に、
【数５】
0005539527.tif 000006
【００７５】
事前符号化ベクトルｂｋ（ｋ＝１．．．４）と、全ての候補ユーザｕｊを決定する。候補のセットは、Ｕ（ｂｋ）＝｛（ｕｊ，ＣＱＩ（ｂｋ））｝であり、ここで、ｂｋは、ｕｊについての選好プライマリ事前符号化ベクトルである。候補ユーザは、ランク２のＣＱＩ報告を要求しない。事前符号化ベクトルｂｋおよびｂ５−ｋは、直交であると仮定される。次に、１または複数のアプローチを使用して、ＭＵ−ＭＩＭＯ伝送のためのユーザペアが決定される。第１のアプローチにおいて、ユーザペア（ｕｉ，ｕｊ）∈（Ｕ（ｂｋ)，Ｕ（ｂ５−ｋ）)がスケジューリングされうる。線形受信機について、選好事前符号化ベクトルはより良いＣＱＩを提供する。このアプローチは、受信機アーキテクチャに関係なく有効である。
【００７６】
次に、ランキングアルゴリズムが使用されうる。ランキングアルゴリズムは、伝送時間インターバル（ＴＴＩ）毎に、最優先ＭＵ−ＭＩＭＯペアと、最優先ＳＵ−ＭＩＭＯユーザとを識別しうる。ユーザは、それがＭＡＣ優先待ち行列にフリーＨＡＲＱプロセスとデータを有する場合に、適格であるとみなされる。報告されるＣＱＩ（デシベル（ｄＢ）表される量子化された信号対雑音比（ＳＮＲ））は、各々の適格ユーザに対してスペクトル効率（ビット／シンボルで表される）にマッピングされうる。
【００７７】
次に、ＳＵ−ＭＩＭＯユーザランキングリストは、比例公平ルールに従って、全ての適格ユーザに対して計算されうる。報告されるチャネルランクに依存して、適格なユーザの各々に対して単一ストリームまたはデュアルストリームのＳＵ−ＭＩＭＯが仮定される。ユーザペアアプローチによる最優先ＭＵ−ＭＩＭＯ適格ペアは、比例公平ルールに従って決定されうる。必要な場合、ペアリングされたユーザ間での電力分割を考慮するために、スペクトル効率が再度スケーリングされうる。優先度の比較に基づいて、ＳＵ−ＭＩＭＯランキングリストの最優先ユーザか、最優先ＭＵ−ＭＩＭＯユーザペアのいずれかが、瞬間伝送時間インターバル（ＴＴＩ）においてスケジューリングされうる（ＳＵ−ＭＩＭＯでは１人のユーザ、またはＭＵ−ＭＩＭＯでは１個のユーザペアしか、伝送時間インターバル（ＴＴＩ）ごとのスケジューリングされない仮定する）。次に、ＣＱＩマッピング表が使用される。
【００７８】
図５は、複数の伝送時間インターバル（ＴＴＩ）５３８を有するタイムライン５００を示すブロック図である。ノードＢ ５０２は、第１のユーザ機器（ＵＥ）５０４ａ、第２のユーザ機器（ＵＥ）５０４ｂ、第３のユーザ機器（ＵＥ）５０４ｃと通信しうる。第１の伝送時間インターバル（ＴＴＩ）５３８ａの間、第１のユーザ機器（ＵＥ）５０４ａおよび第２のユーザ機器（ＵＥ）５０４ｂは、第１のユーザ機器（ＵＥ）ペア５３４ａの一部でありうる。ノードＢ ５０２は、第１の伝送時間インターバル（ＴＴＩ）５３８ａの間に、直交の選好データストリーム２１８上で第１のユーザ機器（ＵＥ）ペア５３４（すなわち、第１のユーザ機器（ＵＥ）選好データストリーム２１８ａを使用して第１のユーザ機器（ＵＥ）５０４ａに、第２のユーザ機器（ＵＥ）選好データストリーム２１８ｂを使用して第２のユーザ機器（ＵＥ）５０４ｂに）に送信しうる（５３６）。
【００７９】
第１の伝送時間インターバル（ＴＴＩ）５３８ａの後、ノードＢ ５０２は、受信されたチャネル品質インジケータ（ＣＱＩ）１１２を評価し、ユーザ機器（ＵＥ）ペア５３４を再選択しうる（５４０）。例えば、ノードＢ ５０２は、第２の伝送時間インターバル（ＴＴＩ）５３８ｂに対して第２のユーザ機器（ＵＥ）ペア５３４ｂを選択しうる。第２のユーザ機器（ＵＥ）ペア５３４ｂは、第２のユーザ機器（ＵＥ）５０４ｂと第３のユーザ機器（ＵＥ）５０４ｃとを含みうる。次に、ノードＢ ５０２は、第２の伝送時間インターバル（ＴＴＩ）５３８ｂの間に、直交の選好データストリーム２１８上で、選択されたユーザ機器（ＵＥ）ペア５３４ｂに（すなわち、第２のユーザ機器（ＵＥ）選好データストリーム２１８ｂを使用して第２のユーザ機器（ＵＥ）５０４ｂに、第３のユーザ機器（ＵＥ）選好データストリーム（図示されない）を使用して第３のユーザ機器（ＵＥ）５０４ｃに）に送信しうる（５４２）。
【００８０】
図６は、ストリーム間干渉（ＩＳＩ）を考慮するチャネル品質インジケータ（ＣＱＩ）１１２フィードバックを送るための方法６００のフロー図である。方法６００は、ユーザ機器（ＵＥ）２０４によって行われうる。ユーザ機器（ＵＥ）２０４は、高速パケットアクセス（ＨＳＰＡ）システムで動作している可能性がある。図６の方法６００において、チャネル品質インジケータ（ＣＱＩ）１１２を受信する基地局１０２に対して標準の変更は必要ない。
【００８１】
ユーザ機器（ＵＥ）２０４は、ストリーム間干渉（ＩＳＩ）を加味して調整される最適な単一ストリーム多入力多出力（ＭＩＭＯ）チャネル品質インジケータ（ＣＱＩ）１１２を決定しうる（６０２）。ユーザ機器（ＵＥ）２０４が、マルチユーザ多入力多出力（ＭＵ−ＭＩＭＯ）についてのチャネル品質インジケータ（ＣＱＩ）１１２をビームに沿って計算する度に、ユーザ機器（ＵＥ）２０４は、それに直交なビーム上の電力の５０％を仮定しうる。これは、ストリーム間干渉（ＩＳＩ）を加味して調整されるチャネル品質インジケータ（ＣＱＩ）１１２を取得するのに十分である。
【００８２】
選択肢である可能性のある４つの単一ストリームチャネル品質インジケータ（ＣＱＩ）１１２が存在する。高速パケットアクセス（ＨＳＰＡ）のいくつかの構成において、単一ストリーム多入力多出力（ＭＩＭＯ）チャネル品質インジケータ（ＣＱＩ）１１２は、ストリーム間干渉（ＩＳＩ）を考慮しない場合があり、それは、基地局１０２がマルチユーザ多入力多出力（ＭＵ−ＭＩＭＯ）を使用している場合、基地局１０２に対して、過度に楽観的なデータレート１２１（すなわち、大きい送信ブロックサイズ（ＴＢＳ））でユーザ機器（ＵＥ）２０４に送信させることにつながる。ユーザ機器（ＵＥ）２０４は、最適な調整済みＭＩＭＯチャネル品質インジケータ（ＣＱＩ）１１２をノードＢ ２０２に送りうる（６０４）。
【００８３】
次に、ユーザ機器（ＵＥ）２０４は、最適な多入力多出力（ＭＩＭＯ）チャネル品質インジケータ（ＣＱＩ）１１２を決定しうる（６０６）。最適な多入力多出力（ＭＩＭＯ）チャネル品質インジケータ（ＣＱＩ）１１２は、単一ストリームまたはデュアルストリームのいずれかのデータ伝送を要求しうる。最適な多入力多出力（ＭＩＭＯ）チャネル品質インジケータ（ＣＱＩ）１１２は、リリース７に従って生成されるチャネル品質インジケータ（ＣＱＩ）１１２でありうる。伝送時間インターバル（ＴＴＩ）５３８内での最適な単一ストリームチャネル品質インジケータ（ＣＱＩ）１１２か、最適なデュアルストリームチャネル品質インジケータ（ＣＱＩ）１１２かの決定は、高速パケットアクセスプロトコル（例えば、リリース７）に従って行われうる。
【００８４】
可能性のある４つの単一ストリームチャネル品質インジケータ（ＣＱＩ）１１２と、可能性のある２つのデュアルストリームチャネル品質インジケータ（ＣＱＩ）１１２とが存在しうる。ユーザ機器（ＵＥ）２０４は、最適な多入力多出力（ＭＩＭＯ）チャネル品質インジケータ（ＣＱＩ）１１２を、可能性のある６つのチャネル品質インジケータ（ＣＱＩ）１１２の中で最も良いものとして計算しうる。最適な多入力多出力（ＭＩＭＯ）チャネル品質インジケータ（ＣＱＩ）１１２は、それが、リリース７に従ってユーザ機器（ＵＥ）２０４により基地局１０２にフィードバックされるため、通常のチャネル品質インジケータ（ＣＱＩ）１１２を指しうる、ユーザ機器（ＵＥ）２０４は、最適な多入力多出力（ＭＩＭＯ）チャネル品質インジケータ（ＣＱＩ）１１２を基地局１０２に送りうる（６０８）。次に、ユーザ機器（ＵＥ）２０４は、ストリーム間干渉（ＩＳＩ）を加味して調整される最適な単一ストリーム多入力多出力（ＭＩＭＯ）チャネル品質インジケータ（ＣＱＩ）１１２の決定（６０２）に戻りうる。
【００８５】
一般的に、良いジオメトリを有するユーザ機器（ＵＥ）２０４は、単一ストリームチャネル品質インジケータ（ＣＱＩ）１１２よりも頻繁にデュアルストリームチャネル品質インジケータ（ＣＱＩ）１１２を報告しうる。セルのエッジにあるユーザ機器（ＵＥ）２０４は、デュアルストリームチャネル品質インジケータ（ＣＱＩ）１１２よりも頻繁に単一ストリームチャネル品質インジケータ（ＣＱＩ）１１２を報告しうる。
【００８６】
このように、ユーザ機器（ＵＥ）２０４は、ストリーム間干渉（ＩＳＩ）を加味して調整されたチャネル品質インジケータ（ＣＱＩ）１１２と、リリース７にあるように生成されたチャネル品質インジケータ（ＣＱＩ）１１２とを交互に送りうる。換言すると、ユーザ機器（ＵＥ）２０４は、最適な多入力多出力（ＭＩＭＯ）チャネル品質インジケータ（ＣＱＩ）１１２（これはリリース７にあるように生成される）の間に、ストリーム間干渉（ＩＳＩ）を加味して調整される最適な単一ストリームチャネル品質インジケータ（ＣＱＩ）１１２をインターレースしうる。ユーザ機器（ＵＥ）２０４によって使用されるフィードバック周期に依存して、ユーザ機器（ＵＥ）２０４は、伝送時間インターバル（ＴＴＩ）５３８ごとに１つのチャネル品質インジケータ（ＣＱＩ）１１２を送りうる。
【００８７】
基地局１０２解法（すなわち、図３の方法３００）の代わりにユーザ機器（ＵＥ）２０４解法（すなわち、図６の方法６００）を使用する１つの利点は、より良い性能が得られうることである。全ての伝送時間インターバル（ＴＴＩ）５３８において、基地局１０２は、単一ユーザ多入力多出力（ＳＵ−ＭＩＭＯ）伝送をスケジューリングするためのチャネル品質インジケータ（ＣＱＩ）１１２と、マルチユーザ多入力多出力（ＭＵ−ＭＩＭＯ）伝送をスケジューリングするためのチャネル品質インジケータ１１２へのアクセスを有する。基地局１０２は、さらに、単一ユーザ多入力多出力（ＳＵ−ＭＩＭＯ）データ伝送をスケジューリングする場合に、最良の多入力多出力（ＭＩＭＯ）チャネル品質インジケータ（ＣＱＩ）１１２を使用しうる。これらのチャネル品質インジケータ（ＣＱＩ）１１２の各々は、通常よりも、最大で１つの余分な伝送時間インターバル（ＴＴＩ）ぶん遅らせられる。
【００８８】
ユーザ機器（ＵＥ）２０４解法を使用する１つのシーケンスは、それが、プロトコル（例えば、３ＧＰＰによって確立された高速パケットアクセス標準）を報告するチャネル品質インジケータ（ＣＱＩ）１１２への変更を要求しうることである。これらの変更は、ユーザ機器（ＵＥ）２０４のチャネル品質インジケータ（ＣＱＩ）１１２フィードバックアルゴリズムを構成するために、より高いレイヤのメッセージングを実施することを含みうる。
【００８９】
図７は、ユーザ機器（ＵＥ）７７２ａ〜ｂに対するチャネル品質インジケータ（ＣＱＩ）１１２フィードバック周期を示すタイミング図である。図７は、図６に示される方法６００についてのタイミング図である。各ボックスは、所与の伝送時間インターバル（ＴＴＩ）についてのチャネル品質インジケータ（ＣＱＩ）１１２報告を表す。上で論述されたように、ユーザ機器（ＵＥ）７７２は、リリース７にあるように生成される最適な多入力多出力（ＭＩＭＯ）チャネル品質インジケータ（ＣＱＩ）１１２（最適Ｒｅｌ−７チャネル品質インジケータ（ＣＱＩ）１１２と呼ばれる）の間に、ストリーム間干渉（ＩＳＩ）を加味して調整される最適な単一ストリームチャネル品質インジケータ（ＣＱＩ）１１２をインターレースしうる。
【００９０】
悪いジオメトリのユーザ機器（ＵＥ）７７２ａについての最適Ｒｅｌ−７チャネル品質インジケータ（ＣＱＩ）１１２は、伝送時間インターバル（ＴＴＩ）ｎ ７７３ａおよび伝送時間インターバル（ＴＴＩ）ｎ＋２ ７７３ｃで使用されるような単一ストリームチャネル品質インジケータ（ＣＱＩ）１１２であることが多い可能性がある。対照的に、良いジオメトリのユーザ機器（ＵＥ）７７２ｂについての最適チャネル品質インジケータ（ＣＱＩ）１１２は、伝送時間インターバル（ＴＴＩ）ｎ ７７４ａおよび伝送時間インターバル（ＴＴＩ）ｎ＋２ ７７４ｃで使用されるようなデュアルストリームチャネル品質インジケータ（ＣＱＩ）１１２であることが多い可能性がある。１つの構成において（すなわち、伝送時間インターバル（ＴＴＩ）ｎ＋６ ７７４ｄのチャネル品質インジケータ（ＣＱＩ）１１２において）、ジオメトリが良いユーザ機器（ＵＥ）７７２ｂについての最適チャネル品質インジケータ（ＣＱＩ）１１２は、その代わりとして、単一ストリームチャネル品質インジケータ（ＣＱＩ）１１２でありうる。
【００９１】
悪いジオメトリのユーザ機器（ＵＥ）７７２ａまたは良いジオメトリのユーザ機器（ＵＥ）７７２ｂのいずれかについて報告するチャネル品質インジケータ（ＣＱＩ）１１２は、その他全ての伝送時間インターバル（ＴＴＩ）（例えば、ｎ、ｎ＋２、ｎ＋４など）では変更されない可能性がある。これらの伝送時間インターバル（ＴＴＩ）の間で、悪いジオメトリのユーザ機器（ＵＥ）７７２ａおよび良いジオメトリのユーザ機器（ＵＥ）７７２ｂの両方は、悪いジオメトリのユーザ機器（ＵＥ）７７２ａに関する伝送時間インターバル（ＴＴＩ）ｎ＋１ ７７３ｂについてのチャネル品質インジケータ（ＣＱＩ）１１２、および、良いジオメトリのユーザ機器（ＵＥ）７７２ｂに関する伝送時間インターバル（ＴＴＩ）ｎ＋１ ７７４ｂについてのチャネル品質インジケータ（ＣＱＩ）１１２のような、ストリーム間干渉（ＩＳＩ）を加味して調整された最適な単一ストリームチャネル品質インジケータ（ＣＱＩ）１１２を決定し、送りうる（例えば、伝送時間インターバル（ＴＴＩ）ｎ＋１、ｎ＋３、ｎ＋５などについての）。示されるように、図７は、１に等しいフィードバック周期についてのものである。よって、図７は、１よりも大きいフィードバック周期について変更されうる。
【００９２】
図８は、本システムおよび方法で使用するための基地局８０２のブロック図である。図８の基地局８０２は、図１の基地局１０２の１つの構成でありうる。基地局８０２は、第１の伝送チェーン８４６ａおよび第２の伝送チェーン８４６ｂを含みうる。第１の伝送チェーン８４６ａは、第１のデータストリーム８１８ａに対して使用され、第２の伝送チェーン８４６ｂは、第２のデータストリーム８１８ｂに対して使用されうる。
【００９３】
第１の伝送チェーン８４６ａは、第１のベースバンド伝送信号８４４ａを含みうる。第１のベースバンド伝送信号８４４ａは、変調器８４７ａを使用して変調され、デジタル／アナログ変換器（ＤＡＣ）８４８ａを使用してデジタル信号からアナログ信号に変換され、ミキサ８４９ａを使用して周波数変換され、増幅器８５０ａを使用して増幅され、最後に、第１のデータストリーム８１８ａとして第１のアンテナ８５１ａによって送信されうる。同様に、第２の伝送チェーン８４６ｂは、第２のベースバンド伝送信号８４４ｂを含みうる。第２のベースバンド伝送信号８４４ｂは、変調器８４７ｂを使用して変調され、デジタル／アナログ変換器（ＤＡＣ）８４８ｂを使用してデジタル信号からアナログ信号に変換され、ミキサ８４９ｂを使用して周波数変換され、増幅器８５０ｂを使用して増幅され、最後に、第２のデータストリーム８１８ｂとして第２のアンテナ８５１ｂによって送信されうる。上で論述されたように、第１のデータストリーム８１８ａおよび第２のデータストリーム８１８ｂは、同一の直交可変拡散率（ＯＶＳＦ）符号２２６を直交ビームと共に使用して、同一の伝送時間インターバル（ＴＴＩ）５３８の間に送信されうる。
【００９４】
図９は、本システムおよび方法で使用するための無線通信デバイス９０４のブロック図である。図９の無線通信デバイス９０４は、図１の無線通信デバイス１０４の１つの構成でありうる。無線通信デバイス９０４は、伝送チェーン９４６を含みうる。伝送チェーン９４６は、データストリーム９１８に使用されうる。
【００９５】
伝送チェーン９４６は、ベースバンド伝送信号９４４を含みうる。ベースバンド伝送信号９４４は、変調器９４７を使用して変調され、デジタル／アナログ変換器（ＤＡＣ）９４８を使用してデジタル信号からアナログ信号に変換され、ミキサ９４９を使用して周波数変換され、増幅器９５０を使用して増幅され、最後に、データストリーム９１８としてアンテナ９５１によって送信されうる。データストリーム９１８は、無線通信デバイス９０４によって基地局１０２に送られる１または複数のチャネル品質インジケータ（ＣＱＩ）を含みうる。
【００９６】
図１０は、多入力多出力（ＭＩＭＯ）システム１０００における送信機１０６９および受信機１０７０のブロック図である。送信機１０６９において、多数のデータストリームのトラフィックデータがデータソース１０５２から送信（ＴＸ）データプロセッサ１０５３に提供される。次に、各データストリームは、それぞれの送信アンテナ１０５６ａ〜１０５６ｔを通して送信されうる。送信（ＴＸ）データプロセッサ１０５３は、各データストリームのトラフィックデータを、そのデータストリームに対して選択された特定の符号化スキームに基づいてフォーマット、符号化、インターリーブし、符号化データを提供する。
【００９７】
各データストリームの符号化データは、ＯＦＤＭ技術を使用して、パイロットデータと多重化されうる。パイロットデータは、既知の方法で処理される既知のデータパターンであり、チャネル応答を推定するために受信機１０７０で使用されうる。次に、各ストリームの多重化されたパイロットおよび符号化データは、そのデータストリームに対して選択される特定の変調スキーム（例えば、二位相偏移変調（ＢＰＳＫ）、直交位相偏移変調（ＱＰＳＫ）、マルチ位相偏移変調（Ｍ−ＰＳＫ）、あるいは、マルチレベル直交振幅変調（Ｍ−ＱＡＭ））に基づいて変調（すなわち、シンボルマッピング）され、変調シンボルを提供する。各データストリームのデータレート、符号化および変調は、プロセッサによって行われる命令によって決定されうる。
【００９８】
全てのデータストリームについての変調シンボルは、送信（ＴＸ）多入力多出力（ＭＩＭＯ）プロセッサ１０５４に提供され、それは、変調シンボルをさらに処理しうる（例えば、ＯＦＤＭの場合）。次に、送信（ＴＸ）多入力多出力（ＭＩＭＯ）プロセッサ１０５４は、ＮＴ個の変調シンボルストリームをＮＴ個の送信機（ＴＭＴＲ）１０５５ａ〜１０５５ｂに提供する。ＴＸ送信（ＴＸ）多入力多出力（ＭＩＭＯ）プロセッサ１０５４は、ビームフォーミング重みを、データストリームのシンボルと、シンボルを送信しているアンテナ１０５６とに適用しうる。
【００９９】
各送信機１０５５は、それぞれのシンボルストリームを受信および処理して、１または複数のアナログ信号を提供し、さらに、このアナログ信号を調整（例えば、増幅、フィルタリング、アップコンバート）して、ＭＩＭＯチャネル上での伝送に適した変調信号を提供する。次に、送信機１０５５ａ〜１０５５ｔからのＮＴ個の変調信号は、それぞれＮＴ個のアンテナ１０５６ａ〜１０５６ｔから送信される。
【０１００】
受信機１０７０において、送信された変調信号は、ＮＲ個のアンテナ１０６１ａ〜１０６１ｒによって受信され、各アンテナ１０６１からの受信信号は、それぞれの受信機（ＲＣＶＲ）１０６２ａ〜１０６２ｒに提供される。各受信機１０６２は、それぞれの受信信号を調整（例えば、フィルタリング、増幅、ダウンコンバート）し、調整信号をデジタル化して、サンプルを提供し、さらに、そのサンプルを処理して、対応する「受信された」シンボルストリームを提供しうる。
【０１０１】
次に、ＲＸデータプロセッサ１０６３は、ＮＲ個の受信シンボルストリームをＮＲ個の受信機１０６２から受信し、特定の受信機処理技術に基づいて処理して、ＮＴ個の「検出された」シンボルストリームを提供する。次に、ＲＸデータプロセッサ１０６３は、検出されたシンボルストリームの各々を復調、デインタリーブ、復号して、データストリームのトラフィックデータを回復する。ＲＸデータプロセッサ１０６３による処理は、送信機システム１０６９のＴＸ ＭＩＭＯプロセッサ１０５４およびＴＸデータプロセッサ１０５３によって行われる処理に相補的である。
【０１０２】
プロセッサ１０６４は、どの事前符号化マトリックスを使用するかを周期的に決定しうる。プロセッサ１０６４は、情報をメモリ１０６５に記憶し、メモリ１０６５から情報を検索しうる。プロセッサ１０６４は、マトリックスインデックス部およびランク値部を備える逆方向リンクメッセージを公式化する。逆方向リンクメッセージは、チャネル状態情報（ＣＳＩ）と呼ばれうる。逆方向リンクメッセージは、通信リンクおよび／または受信データストリームに関する様々なタイプの情報を備えうる。次に、逆方向リンクメッセージは、データソース１０６８から多数のデータストリームのトラフィックデータも受信するＴＸデータプロセッサ１０６７によって処理され、変調器１０６６によって変調され、送信機１０６２ａ〜１０６２ｒによって調整され、送信機１０６９に送り戻される。
【０１０３】
送信機１０６９において、受信機からの変調信号は、アンテナ１０５６によって受信され、受信機１０５５によって調整され、復調器１０５８によって復調され、ＲＸデータプロセッサ１０５９によって処理され、受信機システム１０７０によって送信された逆方向リンクメッセージを抽出する。プロセッサ１０６０は、ＲＸデータプロセッサ１０５９からチャネル状態情報（ＣＳＩ）を受信しうる。プロセッサ１０６０は、情報をメモリ１０５７に記憶し、メモリ１０５７から情報を検索しうる。次に、プロセッサ１０６０は、ビームフォーミング重みを決定するために、どの事前符号化を使用するかを決定し、次に、抽出されたメッセージを処理しうる。
【０１０４】
図１１は、基地局１１０２に含まれうる特定のコンポーネントを示す。基地局は、アクセスポイント、ブロードキャスト送信機、ノードＢ、発展型ノードＢなどとも呼ばれ、それらの機能性の一部または全てを含みうる。基地局１１０２は、プロセッサ１１０３を含む。プロセッサ１１０３は、汎用の単一チップまたはマルチチップマイクロプロセッサ（例えば、ＡＲＭ）、専用マイクロプロセッサ（例えば、デジタル信号プロセッサ（ＤＳＰ））、マイクロコントローラ、プログラマブルゲートアレイなどでありうる。プロセッサ１１０３は、中央処理装置（ＣＰＵ）と呼ばれうる。図１１の基地局１１０２には単一のプロセッサ１１０３しか示されていないが、別の構成において、プロセッサの組み合わせ（例えば、ＡＲＭとＤＳＰ）も使用されうる。
【０１０５】
基地局１１０２は、さらにメモリ１１０５を含む。メモリ１１０５は、電子情報を記憶することができる任意の電子コンポーネントでありうる。メモリ１１０５は、ランダムアクセスメモリ（ＲＡＭ）、読み取り専用メモリ（ＲＯＭ）、磁気ディスク記憶媒体、光学ディスク記憶媒体、ＲＡＭ内のフラッシュメモリ、プロセッサに含まれるオンボードメモリ、ＥＰＲＯＭメモリ、ＥＥＰＲＯＭメモリ、レジスタなど、並びに、それらの組み合わせとして組み込まれうる。
【０１０６】
データ１１０７ａおよび命令１１０９ａは、メモリ１１０５に記憶されうる。命令１１０９ａは、本明細書で開示された方法を実施するために、プロセッサ１１０３によって実行可能でありうる。命令１１０９ａを実行することは、メモリ１１０５に記憶されるデータ１１０７ａの使用を含みうる。プロセッサ１１０３が命令１１０９ａを実行すると、命令１１０９ｂの様々な部分はプロセッサ１１０３上にロードされ、データ１１０７ｂの様々な部分はプロセッサ１１０３上にロードされうる。
【０１０７】
基地局１１０２は、さらに、基地局１１０２への信号の送信と基地局１１０２からの信号の受信を可能にする送信機１１１１および受信機１１１３を含みうる。送信機１１１１および受信機１１１３は、集合的にトランシーバ１１１５と呼ばれうる。複数のアンテナ１１１７ａ〜ｂは、電気的にトランシーバ１１１５に結合されうる。基地局１１０２は、さらに、複数の送信機、複数の受信機、複数のトランシーバ、および／または、追加のアンテナを含みうる（図示されない）。
【０１０８】
基地局１１０２は、デジタル信号プロセッサ（ＤＳＰ）１１２１を含みうる。基地局１１０２は、さらに、通信インターフェース１１２３を含みうる。通信インターフェース１１２３は、ユーザが、基地局１１０２とインタラクトすることを可能にする。
【０１０９】
基地局１１０２の様々なコンポーネントは、電力バス、制御信号バス、状態信号バス、データバス等を含みうる１または複数のバスによって互いに結合されうる。明瞭さのために、様々なバスが、バスシステム１１１９として図１１に示される。
【０１１０】
図１２は、無線通信デバイス１２０４に含まれうる特定のコンポーネントを示す。無線通信デバイス１２０４は、アクセス端末、モバイル局、ユーザ機器（ＵＥ）などでありうる。無線通信デバイス１２０４は、プロセッサ１２０３を含む。プロセッサ１２０３は、汎用の単一チップまたはマルチチップマイクロプロセッサ（例えば、ＡＲＭ）、専用マイクロプロセッサ（例えば、デジタル信号プロセッサ（ＤＳＰ））、マイクロコントローラ、プログラマブルゲートアレイ等でありうる。プロセッサ１２０３は、中央処理装置（ＣＰＵ）と呼ばれうる。図１２の無線通信デバイス１２０４には単一のプロセッサ１２０３しか示されていないが、別の構成において、プロセッサの組み合わせ（例えば、ＡＲＭとＤＳＰ）も使用されうる。
【０１１１】
無線通信デバイス１２０４は、さらにメモリ１２０５を含む。メモリ１２０５は、電子情報を記憶することができる任意の電子コンポーネントでありうる。メモリ１２０５は、ランダムアクセスメモリ（ＲＡＭ）、読み取り専用メモリ（ＲＯＭ）、磁気ディスク記憶媒体、光学ディスク記憶媒体、ＲＡＭ内のフラッシュメモリ、プロセッサに含まれるオンボードメモリ、ＥＰＲＯＭメモリ、ＥＥＰＲＯＭメモリ、レジスタなど、並びに、それらの組み合わせとして組み込まれうる。
【０１１２】
データ１２０７ａおよび命令１２０９ａは、メモリ１２０５に記憶されうる。命令１２０９ａは、本明細書で開示された方法を実施するために、プロセッサ１２０３によって実行可能でありうる。命令１２０９ａを実行することは、メモリ１２０５に記憶されるデータ１２０７ａの使用を含みうる。プロセッサ１２０３が命令１２０９ａを実行すると、命令１２０９ｂの様々な部分はプロセッサ１２０３上にロードされ、データ１２０７ｂの様々な部分はプロセッサ１２０３上にロードされうる。
【０１１３】
無線通信デバイス１２０４は、さらに、無線通信デバイス１２０４への信号の送信と無線通信デバイス１２０４からの信号の受信を可能にする送信機１２１１および受信機１２１３を含みうる。送信機１２１１および受信機１２１３は、集合的にトランシーバ１２１５と呼ばれうる。複数のアンテナ１２１７ａ〜ｂは、電気的にトランシーバ１２１５に結合されうる。無線通信デバイス１２０４は、さらに、複数の送信機、複数の受信機、複数のトランシーバ、および／または、追加のアンテナを含みうる（図示されない）。
【０１１４】
無線通信デバイス１２０４は、デジタル信号プロセッサ（ＤＳＰ）１２２１を含みうる。無線通信デバイス１２０４は、さらに、通信インターフェース１２２３を含みうる。通信インターフェース１１２３は、ユーザが、無線通信デバイス１２０４とインタラクトすることを可能にする。
【０１１５】
無線通信デバイス１２０４の様々なコンポーネントは、電力バス、制御信号バス、状態信号バス、データバス等を含みうる１または複数のバスによって互いに結合されうる。明瞭さのために、様々なバスが、バスシステム１２１９として図１２に示される。
【０１１６】
本明細書に記述された技術は、直交多重化スキームに基づく通信システムを含む様々な通信システムに対して使用されうる。そのような通信システムの例は、直交周波数分割多元接続（ＯＦＤＭＡ）システム、単一キャリア周波数分割多元接続（ＳＣ−ＦＤＭＡ）システムなどを含む。ＯＦＤＭＡシステムは、システム帯域幅全体を複数の直交サブキャリアに分割する変調技術である直交周波数分割複信（ＯＦＤＭ）を利用する。これらのサブキャリアは、トーン、ビンなどとも呼ばれうる。ＯＦＤＭの場合、各サブキャリアは、個々に、データと変調されうる。ＳＣ−ＦＤＭＡシステムは、システム帯域幅にわたって分散されたサブキャリア上で送信するためにインターリーブされたＦＭＤＡ（ＩＦＤＭＡ）を利用するか、隣接サブキャリアのブロック上で送信するためにローカライズドＦＤＭＡ（ＬＦＤＭＡ）を利用するか、あるいは、隣接サブキャリアの複数のブロック上で送信するために改良型ＦＤＭＡ（ＥＦＤＭＡ）を利用しうる。一般的に、変調シンボルは、ＯＦＤＭＡを用いて周波数ドメインで送られ、ＳＣ−ＦＤＭＡを用いて時間ドメインで送られる。
【０１１７】
「決定すること（determining）」という用語は、広範囲の動作を包含する。そのため、「決定すること」は、算出すること（calculating）、計算すること（computing）、処理すること（processing）、導くこと（deriving）、調査すること（investigating）、ルックアップすること（looking up）（例えば、テーブル、データベース、あるいは別のデータ構造でルックアップすること）、確認すること（ascertaining）などを含みうる。さらに、「決定すること」は、受信すること（receiving）（例えば、情報を受信すること）、アクセスすること（accessing）（例えば、メモリのデータにアクセスすること）などを含みうる。さらに、「決定すること」は、解決すること（resolving）、選択すること（selecting）、選ぶこと（choosing）、確立すること（establishing）などを含みうる。
【０１１８】
「〜に基づいて（based on）」という表現は、別途明確に指定されていない限り、「〜だけに基づいて（based only on）」を意味しない。換言すると、「〜に基づいて」という表現は、「〜だけに基づいて」および「少なくとも〜に基づいて（based at least on）」の両方を記述する。
【０１１９】
「プロセッサ（processor）」という用語は、汎用プロセッサ、中央処理装置（ＣＰＵ）、マイクロプロセッサ、デジタル信号プロセッサ（ＤＳＰ）、コントローラ、マイクロコントローラ、ステートマシンなどを包含するように広く解釈されるべきである。いくつかの条件下で、「プロセッサ」は、特定用途向け集積回路（ＡＳＩＣ）、プログラマブル論理デバイス（ＰＬＤ）、フィールドプログラマブルゲートアレイ（ＦＰＧＡ）などを指しうる。「プロセッサ」という用語は、例えば、ＤＳＰとマクロプロセッサ、複数のマイクロプロセッサ、ＤＳＰコアに結合した１または複数のマイクロプロセッサ、あるいは、その他の上記構成の組み合わせといった処理デバイスの組み合わせを指しうる。
【０１２０】
「メモリ（memory）」という用語は、電子情報を記憶することができる任意の電子コンポーネントを含むように広く解釈されるべきである。メモリという用語は、ランダムアクセスメモリ（ＲＡＭ）、読み取り専用メモリ（ＲＯＭ）、不揮発性ランダムアクセスメモリ（ＮＶＲＡＭ）、プログラマブル読み取り専用メモリ（ＰＲＯＭ）、消去可能プログラマブル読み取り専用メモリ（ＥＰＲＯＭ）、電気的消去可能ＰＲＯＭ（ＥＥＰＲＯＭ）、フラッシュメモリ、磁気または光学データ記憶装置、レジスタ等のような様々なタイプのプロセッサ可読媒体を指しうる。プロセッサがメモリから情報を読み取り、および／または、メモリに情報を書き込むことができる場合、メモリは、このプロセッサと電子通信状態にあるとされる。プロセッサに一体化されたメモリは、プロセッサと電子通信状態にある。
【０１２１】
「命令（instruction）」および「コード（code）」という用語は、あらゆるタイプのコンピュータ可読ステートメントを含むように広く解釈されるべきである。例えば、「命令」および「コード」という用語は、１または複数のプログラム、ルーチン、サブルーチン、機能、手順などを指しうる。「命令」および「コード」は、単一のコンピュータ可読ステートメントまたは多数のコンピュータ可読ステートメントを備えうる。
【０１２２】
本明細書に記述された機能は、ハードウェアによって実行されているソフトウェアまたはファームウェアにおいて実施されうる。機能は、１または複数の命令としてコンピュータ可読媒体上に記憶されうる。「コンピュータ可読媒体（computer-readable medium）」または「コンピュータプログラムプロダクト（computer-program product）」という用語は、コンピュータまたはプロセッサによってアクセスされることができる任意の有形な記憶媒体を指す。それに制限されない例として、コンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスされることができ、命令やデータ構造形で所望のプログラムコードを搬送または記憶するために使用される任意の別媒体を備えうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。
【０１２３】
本明細書に開示される方法は、記述された方法を達成するために、１または複数のステップまたは動作を備える。方法のステップおよび／または動作は、特許請求の範囲を逸脱することなく、互いに交換されうる。換言すると、ステップまたは動作の特定の順序が、記述されている方法の適切な動作のために要求されない限り、特定のステップおよび／または動作の順序および／または使用は、特許請求の範囲を逸脱することなく変更されうる。
【０１２４】
さらに、図３および６に示されたもののように本明細書に記述された方法および技術を実行するためのモジュールおよび／または別の適切な手段がダウンロードされ、および／または、そうでなければデバイスによって取得されうることは認識されるべきである。例えば、デバイスは、本明細書に記述された方法を実行するための手段の移送を容易にするために、サーバに結合されうる。あるいは、記憶手段をデバイスに結合または提供することで、デバイスが様々な方法を取得できるように、本明細書に記述された様々な方法は記憶手段（例えば、ランダムアクセスメモリ（ＲＡＭ）、読み取り専用メモリ（ＲＯＭ）、コンパクトディスク（ＣＤ）またはフロッピーディスクのような物理記憶媒体）を介して提供されうる。
【０１２５】
特許請求の範囲が、上に示された通り設定およびコンポーネントに限定されないことは理解されるべきである。様々な修正、変更、変形が、特許請求の範囲を逸脱することなく、本明細書に記述されたシステム、方法、装置の配列、動作、細部に行われうる。
なお、以下に、出願当初の特許請求の範囲に記載された発明を付記する。
［Ｃ１］
高速パケットアクセスシステムにおいてマルチユーザ多入力多出力を提供するための方法であって、
チャネル品質インジケータ（１１６）を、第１のデータレート（１２１）で単一ストリーム伝送を要求するデュアルストリーム対応無線通信デバイス（１０４）から受信することと、
第２のデータレート（１２１）を取得するために前記第１のデータレート（１２１）を適応外側ループマージン（１１５、１１７）ぶん調整することと、
前記第２のデータレート（１２１）を使用してデータストリームを前記無線通信デバイス（１０４）に送信することと
肯定応答／否定応答（ＡＣＫ／ＮＡＣＫ）を、前記無線通信デバイス（１０４）から受信することと、
前記受信されたＡＣＫ／ＮＡＣＫに従って前記適応外側ループマージン（１１５、１１７）を調整することと
を備える方法。
［Ｃ２］
前記方法はノードＢ（２０２）によって行われる、Ｃ１に記載の方法。
［Ｃ３］
伝送に対して単一ユーザ多入力多出力の使用を決定することをさらに備え、前記データストリームは単一ユーザ多入力多出力を使用して伝送される、Ｃ１に記載の方法。
［Ｃ４］
伝送に対してマルチユーザ多入力多出力の使用を決定することをさらに備え、前記データストリームはマルチユーザ多入力多出力を使用して送信される、Ｃ１に記載の方法。
［Ｃ５］
前記ＡＣＫ／ＮＡＣＫは肯定応答（ＡＣＫ）を備え、前記適応外側ループマージン（１１５、１１７）を調整することは、前記適応外側ループマージン（１１５、１１７）をインクリメント的に減らすことを備える、Ｃ１に記載の方法。
［Ｃ６］
前記ＡＣＫ／ＮＡＣＫは否定応答（ＮＡＣＫ）を備え、前記適応外側ループマージン（１１５、１１７）を調整することは、前記適応外側ループマージン（１１５、１１７）をインクリメント的に増やすことを備える、Ｃ１に記載の方法。
［Ｃ７］
前記適応外側ループマージン（１１５、１１７）は、単一ユーザ多入力多出力伝送のために第１の適応外側ループマージン（１１７）を、マルチユーザ多入力多出力伝送のために第２の適応外側ループマージン（１１５）を備える、Ｃ１に記載の方法。
［Ｃ８］
前記プログラムがコンピュータ上で実行された場合に、Ｃ１乃至７のいずれかのステップを行うことに適応したコンピュータプログラムコード手段を備えるコンピュータプログラム。
［Ｃ９］
Ｃ１乃至７のいずれかの方法を行うために、１または複数のプロセッサ（１１０３）によって実行可能な命令のセットを組み込むコンピュータ可読媒体。
［Ｃ１０］
高速パケットアクセスシステムにおいてマルチユーザ多入力多出力を提供するように構成された無線デバイス（１０２）であって、
チャネル品質インジケータ（１１６）を、第１のデータレート（１２１）で単一ストリーム伝送を要求するデュアルストリーム対応無線通信デバイス（１０４）から受信するための手段と、
第２のデータレート（１２１）を取得するために、前記第１のデータレート（１２１）
を適応外側ループマージン（１１５、１１７）ぶん調整するための手段と、
前記第２のデータレート（１２１）を使用してデータストリームを前記無線通信デバイス（１０４）に送信するための手段と、
肯定応答／否定応答（ＡＣＫ／ＮＡＣＫ）を、前記無線通信デバイス（１０４）から受信するための手段と、
前記受信されたＡＣＫ／ＮＡＣＫに従って前記適応外側ループマージン（１１５、１１７）を調整するための手段と
を備える方法。
［Ｃ１１］
伝送に対して単一ユーザ多入力多出力の使用を決定するための手段をさらに備え、前記
データストリームは単一ユーザ多入力多出力を使用して送信される、Ｃ１０に記載の無線デバイス（１０２）。
［Ｃ１２］
伝送に対してマルチユーザ多入力多出力の使用を決定することをさらに備え、前記データストリームはマルチユーザ多入力多出力を使用して送信される、Ｃ１０に記載の無線デバイス（１０２）。
［Ｃ１３］
前記ＡＣＫ／ＮＡＣＫは肯定応答（ＡＣＫ）を備え、前記適応外側ループマージン（１１５、１１７）を調整するための手段は、前記適応外側ループマージン（１１５、１１７）をインクリメント的に減らすための手段を備える、Ｃ１０乃至１２のいずれかに記載の無線デバイス（１０２）。
［Ｃ１４］
前記ＡＣＫ／ＮＡＣＫは否定応答（ＮＡＣＫ）を備え、前記適応外側ループマージン（１１５、１１７）を調整するための手段は、前記適応外側ループマージン（１１５、１１７）をインクリメント的に増やすための手段を備える、Ｃ１０乃至１２のいずれかに記載の無線デバイス（１０２）。
［Ｃ１５］
前記適応外側ループマージン（１１５、１１７）は、単一ユーザ多入力多出力伝送のために第１の適応外側ループマージン（１１７）を、マルチユーザ多入力多出力伝送のために第２の適応外側ループマージン（１１５）を備える、Ｃ１０乃至１４のいずれかに記載の無線デバイス（１０２）。
【図１】
0005539527.tif 000007
【図２】
0005539527.tif 000008
【図３】
0005539527.tif 000009
【図４】
0005539527.tif 000010
【図５】
0005539527.tif 000011
【図６】
0005539527.tif 000012
【図７】
0005539527.tif 000013
【図８】
0005539527.tif 000014
【図９】
0005539527.tif 000015
【図１０】
0005539527.tif 000016
【図１１】
0005539527.tif 000017
【図１２】
0005539527.tif 000018